(57)【要約】  本発明は、移動管理ユニット（ＭＭＥ）が、受信されたＬＩＰＡ接続解放補助情報に基づいてＬＩＰＡ接続解放検査を実行して、ユーザ装置（ＵＥ）のＬＩＰＡ接続を解放するかどうかを確定することを含むローカルＩＰアクセス（ＬＩＰＡ）接続を解放する方法を開示する。または、無線側ネットワーク要素は、受信されたＬＩＰＡ接続解放補助情報に基づいてＬＩＰＡ接続解放補助検査を実行して、ＵＥのＬＩＰＡ接続を解放するかどうかを確定する。本発明は、同時に、ＬＩＰＡ接続を解放する装置、ＭＭＥ、無線側ネットワーク要素を開示する。本発明の技術的解決手段によれば、移動中継がＬＩＰＡをサポートする場合、移動中継ノード（ＭＲＮ）の切り替えプロセスにおけるＵＥのＬＩＰＡ接続の連続性を確保し、さらにＵＥのＬＩＰＡサービスの連続性を確保し、ユーザのサービス品質とユーザ体験を向上させる。
2016504809.tif 000002
【特許請求の範囲】
【請求項１】
ローカルＩＰアクセス接続を解放する方法であって、
移動管理ユニットが、受信されたローカルＩＰアクセス（ＬＩＰＡ）接続解放補助情報に基づいてＬＩＰＡ接続解放検査を実行して、ユーザ装置（ＵＥ）のＬＩＰＡ接続を解放するかどうかを確定することを含む、方法。
【請求項２】
前記ＬＩＰＡ接続解放補助情報は、
ＬＩＰＡ接続解放指示情報と、
前記ＵＥが前回接続状態にある場合のサービスセルの識別子情報との少なくとも一つを含むことを特徴とする
請求項１に記載の方法。
【請求項３】
移動管理ユニットがＬＩＰＡ接続解放補助情報を受信することは、
無線側ネットワーク要素が、前記ＵＥから送信された前記ＵＥが前回接続状態にある場合のサービスセルの識別子情報を受信した場合、前記移動管理ユニットに送信すること、
または、無線側ネットワーク要素が、前記ＵＥから送信された前記ＵＥが前回接続状態にある場合のサービスセルの識別子情報を受信した場合、前記ＵＥが前回接続状態にある場合のサービスセルの識別子情報に基づいて、前記ＵＥのＬＩＰＡ接続を解放する必要があるかどうかを判定し、そして判定結果をＬＩＰＡ接続解放指示情報により前記移動管理ユニットに指示すること、
または、前記ＵＥが自身のＬＩＰＡ接続を解放する必要があるかどうかを判定し、そして判定結果をＬＩＰＡ接続解放指示情報により前記移動管理ユニットに指示することを含むことを特徴とする
請求項２に記載の方法。
【請求項４】
前記ＵＥが前回接続状態にある場合のサービスセルの識別子情報に基づいて、前記ＵＥのＬＩＰＡ接続を解放する必要があるかどうかを判定することは、
前記無線側ネットワーク要素が、受信された前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記無線側ネットワーク要素が、受信された前記ＵＥが前回接続状態にあるサービスセルの識別子情報に基づいて、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定することを含むことを特徴とする
請求項３に記載の方法。
【請求項５】
前記ＵＥが自身のＬＩＰＡ接続を解放する必要があるかどうかを判定することは、
前記ＵＥが、前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記ＵＥが、前記ＵＥが前回接続状態にある場合のサービスセルの識別子情報に基づいて、前記ＵＥが現在アクセスしたセルと前記ＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定することを含むことを特徴とする
請求項３に記載の方法。
【請求項６】
前記移動管理ユニットが、受信されたＬＩＰＡ接続解放補助情報に基づいてＬＩＰＡ接続解放検査を実行することは、
前記移動管理ユニットがトラッキングエリア更新（ＴＡＵ）またはサービス要求の過程においてＬＩＰＡ接続解放補助情報に基づいてＬＩＰＡ接続解放検査を実行することを含むことを特徴とする
請求項２に記載の方法。
【請求項７】
前記移動管理ユニットが、受信されたＬＩＰＡ接続解放補助情報に基づいてＬＩＰＡ接続解放検査を実行することは、
前記移動管理ユニットが、受信された前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記移動管理ユニットが、受信された前記ＵＥが前回接続状態にある場合のサービスセルの識別子情報に基づいて、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記移動管理ユニットが、受信されたＬＩＰＡ接続解放指示情報が前記ＵＥのＬＩＰＡ接続を解放することを指示すると判定した場合、前記ＵＥのＬＩＰＡ接続を解放する必要があると確定し、前記ＬＩＰＡ接続解放指示情報が、前記ＵＥのＬＩＰＡ接続を解放しないことを指示する場合、前記ＵＥのＬＩＰＡ接続を解放する必要がないと確定すること、
または、前記移動管理ユニットが、設定された時間内にＬＩＰＡ接続解放補助情報を受信しない場合、前記ＵＥのＬＩＰＡ接続を解放する必要があると判定することを含むことを特徴とする
請求項２または６に記載の方法。
【請求項８】
前記移動管理ユニットが、受信されたＬＩＰＡ接続解放補助情報に基づいてＬＩＰＡ接続解放検査を実行した後に、前記方法は、
前記移動管理ユニットが、前記ＵＥのＬＩＰＡ接続を解放する必要があると判定した場合、パケットデータネットワーク（ＰＤＮ）接続削除プロセスを開始して、前記ＵＥのＬＩＰＡ接続を解放することをさらに含むことを特徴とする
請求項１〜７に記載のいずれか１項に記載の方法。
【請求項９】
前記ＬＩＰＡ接続解放補助情報は、非アクセス層（ＮＡＳ）情報にベアリングされて送信されることを特徴とする
請求項１〜７のいずれか１項に記載の方法。
【請求項１０】
前記無線側ネットワーク要素は、
中継ノード、移動中継ノード、ドナーｅＮＢ、ホーム基地局、ホーム基地局ゲートウェイの少なくとも一つを含むことを特徴とする
請求項１〜７のいずれか１項に記載の方法。
【請求項１１】
ローカルＩＰアクセス接続を解放する方法であって、
無線側ネットワーク要素が、受信されたローカルＩＰアクセス（ＬＩＰＡ）接続解放補助情報に基づいてＬＩＰＡ接続解放検査を実行し、ユーザ装置（ＵＥ）のＬＩＰＡ接続を解放するかどうかを確定することを含む、方法。
【請求項１２】
前記ＬＩＰＡ接続解放補助情報は、
ＬＩＰＡ接続解放指示情報と、
前記ＵＥが前回接続状態にある場合のサービスセルの識別子情報との少なくとも一つを含むことを特徴とする
請求項１１に記載の方法。
【請求項１３】
無線側ネットワーク要素がＬＩＰＡ接続解放補助情報を受信することは、
前記ＵＥが、ＵＥが前回接続状態にある場合のサービスセルの識別子情報をＮＡＳ情報により移動管理ユニットに送信し、前記移動管理ユニットがベアラ確立実行プロセスにおいて前記ＵＥが前回接続状態にある場合のサービスセルの識別子情報を前記無線側ネットワーク要素に送信すること、
または、前記ＵＥが自身のＬＩＰＡ接続を解放する必要があるかどうかを確定し、そして判定結果をＬＩＰＡ接続解放指示情報により移動管理ユニットに指示し、前記移動管理ユニットがベアラ確立実行プロセスにおいて前記判定結果をさらにＬＩＰＡ接続解放指示情報により前記無線側ネットワーク要素に指示することを含むことを特徴とする
請求項１２に記載の方法。
【請求項１４】
前記無線側ネットワーク要素が、受信されたＬＩＰＡ接続解放補助情報に基づいてＬＩＰＡ接続解放検査を実行することは、
前記無線側ネットワーク要素が、受信されたＬＩＰＡ接続解放補助情報がＬＩＰＡ接続解放指示情報であると確定し、前記ＬＩＰＡ接続解放指示情報がＬＩＰＡ接続を解放することを指示する場合は、前記無線側ネットワーク要素が前記ＵＥのＬＩＰＡ接続を解放すると確定し、前記ＬＩＰＡ接続解放指示情報がＬＩＰＡ接続を解放しないことを指示する場合は、前記無線側ネットワーク要素が前記ＵＥのＬＩＰＡ接続を解放しないと確定すること、
または、前記無線側ネットワークが、受信されたＬＩＰＡ接続解放補助情報がＵＥが前回接続状態にある場合のサービスセルの識別子情報であると確定し、前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかを確定し、そうであれば、前記ＵＥのＬＩＰＡ接続を解放する必要がないと確定し、そうでなければ、前記ＵＥのＬＩＰＡ接続を解放する必要があると確定すること、
または、前記無線側ネットワーク要素が、受信された前記ＵＥが前回接続状態にある場合のサービスセルの識別子情報に基づいて、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記無線側ネットワーク要素が、設定された時間内にＬＩＰＡ接続解放補助情報を受信しない場合、前記ＵＥのＬＩＰＡ接続を解放する必要があると確定することを含むことを特徴とする
請求項１２に記載の方法。
【請求項１５】
前記無線側ネットワーク要素が受信されたＬＩＰＡ接続解放補助情報に基づいてＬＩＰＡ接続解放検査を実行した後に、前記方法は、
前記無線側ネットワーク要素が、前記ＵＥのＬＩＰＡ接続を解放する必要があると確定した場合、前記ＵＥのＬＩＰＡ接続を解放するように接続されたローカルゲートウェイに指示することをさらに含むことを特徴とする
請求項１１〜１４のいずれか１項に記載の方法。
【請求項１６】
ローカルＩＰアクセス接続を解放する装置であって、
ローカルＩＰアクセス（ＬＩＰＡ）接続解放補助情報を受信するように構成される受信ユニットと、
前記ローカルＩＰアクセス（ＬＩＰＡ）接続解放補助情報に基づいてＬＩＰＡ接続解放検査を実行するように実行ユニットと、
ユーザ装置（ＵＥ）のＬＩＰＡ接続を解放するかどうかを確定するように構成される確定ユニットとを含む、装置。
【請求項１７】
前記ＬＩＰＡ接続解放補助情報は、
ＬＩＰＡ接続解放指示情報と、
前記ＵＥが前回接続状態にある場合のサービスセルの識別子情報の少なくとも一つを含むことを特徴とする
請求項１６に記載の装置。
【請求項１８】
前記受信ユニットは、さらに、無線側ネットワーク要素から送信された前記ＵＥが前回接続状態にある場合のサービスセルの識別子情報を受信するように構成され、ここで、前記無線側ネットワーク要素が前記ＵＥから前記ＵＥが前回接続状態にある場合のサービスセルの識別子情報を受信し、そして前記受信ユニットに送信し、
または、前記受信ユニットは、さらに、無線側ネットワーク要素から送信されたＬＩＰＡ接続解放指示情報を受信するように構成され、ここで、前記無線側ネットワーク要素が前記ＵＥから送信された、前記ＵＥが前回接続状態にある場合のサービスセルの識別子情報を受信した場合、前記ＵＥが前回接続状態にある場合のサービスセルの識別子情報に基づいて、前記ＵＥのＬＩＰＡ接続を解放する必要があるかどうかを判定し、そして判定結果をＬＩＰＡ接続解放指示情報により前記受信ユニットに送信し、
または、前記受信ユニットは、さらに、前記ＵＥから送信されたＬＩＰＡ接続解放指示情報を受信するように構成され、ここで、前記ＵＥが自身のＬＩＰＡ接続を解放する必要があるかどうかを判定し、そして判定結果をＬＩＰＡ接続解放指示情報により前記受信ユニットに送信することを特徴とする
請求項１７に記載の装置。
【請求項１９】
前記実行ユニットは、さらに、トラッキングエリア更新（ＴＡＵ）またはサービス要求の過程においてＬＩＰＡ接続解放補助情報に基づいてＬＩＰＡ接続解放検査を実行するように構成されることを特徴とする
請求項１８に記載の装置。
【請求項２０】
前記確定ユニットは、さらに、前記受信ユニットにより受信されたＬＩＰＡ接続解放指示情報が、前記ＵＥが前回接続状態にある場合のサービスセルの識別子情報であると確定した場合、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定するように構成され、
または、前記確定ユニットは、さらに、前記受信ユニットにより受信されたＬＩＰＡ接続解放指示情報が、ＵＥが前回接続状態にある場合のサービスセルの識別子情報であると確定した場合、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定するように構成され、
前記確定ユニットは、さらに、前記受信ユニットにより受信されたＬＩＰＡ接続解放指示情報が前記ＵＥのＬＩＰＡ接続を解放することを指示する場合、前記ＵＥのＬＩＰＡ接続を解放する必要があると確定し、前記ＬＩＰＡ接続解放指示情報が前記ＵＥのＬＩＰＡ接続を解放しないことを指示する場合、前記ＵＥのＬＩＰＡ接続を解放する必要がないと確定するように構成され、
または、前記確定ユニットは、さらに、前記受信ユニットが設定された時間内にＬＩＰＡ接続解放補助情報を受信しないと確定した場合、前記ＵＥのＬＩＰＡ接続を解放する必要があると確定するように構成されることを特徴とする
請求項１７または１９に記載の装置。
【請求項２１】
前記確定ユニットが前記ＵＥのＬＩＰＡ接続を解放する必要があると確定した場合、パケットデータネットワーク（ＰＤＮ）接続削除プロセスを開始し、前記ＵＥのＬＩＰＡ接続を解放するように構成される解放ユニットをさらに含むことを特徴とする
請求項１６〜２０のいずれか１項に記載の装置。
【請求項２２】
前記受信ユニットは、さらに、移動管理ユニットから送信されたＵＥが前回接続状態にある場合のサービスセルの識別子情報を受信するように構成され、ここで、前記ＵＥが、前記ＵＥが前回接続状態にある場合のサービスセルの識別子情報をＮＡＳ情報により移動管理ユニットに送信し、前記移動管理ユニットがベアラ確立実行プロセスにおいて前記ＵＥが前回接続状態にある場合のサービスセルの識別子情報を前記受信ユニットに送信し、
または、前記受信ユニットは、さらに、前記ＵＥから送信されたＬＩＰＡ接続解放指示情報を受信するように構成され、ここで、前記ＵＥが自身のＬＩＰＡ接続を解放する必要があるかどうかを確定し、そして判定結果をＬＩＰＡ接続解放指示情報により移動管理ユニットに指示し、前記移動管理ユニットがベアラ確立実行プロセスにおいて前記判定結果をさらにＬＩＰＡ接続解放指示情報により前記受信ユニットに送信することを特徴とする
請求項１７に記載の装置。
【請求項２３】
前記確定ユニットは、さらに、前記受信ユニットにより受信された前記ＬＩＰＡ接続解放補助情報がＬＩＰＡ接続解放指示情報であると確定し、前記ＬＩＰＡ接続解放指示情報がＬＩＰＡ接続を解放することを指示する場合は、前記ＵＥのＬＩＰＡ接続を解放すると確定し、前記ＬＩＰＡ接続解放指示情報がＬＩＰＡ接続を解放しないことを指示する場合は、前記ＵＥのＬＩＰＡ接続を解放しないと確定するように構成され、
前記確定ユニットは、さらに、前記受信ユニットにより受信された前記ＬＩＰＡ接続解放補助情報が、前記ＵＥが前回接続状態にある場合のサービスセルの識別子情報であると確定した場合、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定するように構成され、
または、前記確定ユニットは、さらに、前記受信ユニットにより受信された前記ＬＩＰＡ接続解放補助情報が、前記ＵＥが前回接続状態にある場合のサービスセルの識別子情報であると確定した場合、前記ＵＥが現在アクセスしたセルとＵＥが前回接続状態にある場合のセルが同じ基地局に属するかどかを判定し、そうであれば、前記ＵＥのＬＩＰＡ接続を解放する必要がないと確定し、そうでなければ、前記ＵＥのＬＩＰＡ接続を解放する必要があると確定するように構成され、
または、前記確定ユニットは、さらに、前記受信ユニットが設定された時間内にＬＩＰＡ接続解放補助情報を受信しないと確定した場合、前記ＵＥのＬＩＰＡ接続を解放する必要があると確定するように構成されることを特徴とする
請求項２２に記載の装置。
【請求項２４】
前記確定ユニットが前記ＵＥのＬＩＰＡ接続を解放する必要があると確定した場合、前記ＵＥのＬＩＰＡ接続を解放するように接続されたローカルゲートウェイに指示するように構成される解放ユニットをさらに含むことを特徴とする
請求項１６、１７、２２または２３に記載の装置。
【請求項２５】
請求項１６〜２１のいずれか１項に記載のローカルＩＰアクセス接続を解放する装置を含む移動管理ユニット。
【請求項２６】
請求項１６、１７、２２、２３または２４に記載のローカルＩＰアクセス接続を解放する装置を含む無線側ネットワーク要素。
【発明の詳細な説明】
【技術分野】
【０００１】
本発明は、ローカルＩＰアクセス（ＬＩＰＡ：Ｌｏｃａｌ  ＩＰ  Ａｃｃｅｓｓ）解放技術に関し、特に移動中継ノードに基づくローカルＩＰアクセス接続を解放する方法および装置、移動管理ユニット、無線側ネットワーク要素に関する。
【背景技術】
【０００２】
第３世代パートナーシッププロジェクト（３ＧＰＰ：Ｔｈｅ  ３ｒｄ  Ｇｅｎｅｒａｔｉｏｎ  Ｐａｒｔｎｅｒｓｈｉｐ  Ｐｒｏｊｅｃｔ）標準化機構より導入される強化型長期発展（ＬＴＥ−Ａｄｖａｎｃｅｄ）標準における無線中継（Ｗｉｒｅｌｅｓｓ  Ｒｅｌａｙ）技術において、中継ノード（ＲＮ：Ｒｅｌａｙ  Ｎｏｄｅ）は、そのセルにアクセスしたＵＥに一般的な基地局（ｅＮＢ）と類似する機能及びサービスを提供し、さらに無線インターフェースを介して一般的なＵＥと類似する方式でそれにサービングするｅＮＢ（ドナーｅＮＢ、ＤｅＮＢとも呼ばれる）にアクセスする。高速鉄道の大規模な建設及び運転に伴い、列車での通信需要が増加し続けている。しかし、高速で移動している列車がドップラーシフト、セルの頻繁な切り替え、高速鉄道列車車室侵入損失が大きいなどの影響を受けるので、従来のネットワーク基地局のカバレッジは、高速鉄道列車での通信品質要求を満たすことが難しい。したがって、高速鉄道列車に中継ノードを配置することが業界において提案され、このような中継ノードは、通常、移動中継（Ｍｏｂｉｌｅ  Ｒｅｌａｙ）と呼ばれる。図１に示すように、図１は高速鉄道列車のシーンにおいてローカルＩＰアクセス（ＬＩＰＡ）機能をサポートする移動中継システムの構造を示す図である。図１に示すように、移動中継技術により、高速鉄道列車中のユーザ（ＵＥ１とＵＥ２）が相対的に静止する移動中継ノード（ＭＲＢ：Ｍｏｂｉｌｅ  Ｒｅｌａｙ  Ｎｏｄｅ）と通信することができ、高速鉄道列車が移動する過程に、ＭＲＮが異なるＤｅＮＢの間に切り替えられることができ、それによって高速鉄道列車で大量のユーザが同時に切り替えることを避け、ＵＥとＭＲＮとの通信品質を確保し、その他、移動ＭＲＮとＤｅＮＢとのバックボーン接続を強化させることで、高速鉄道列車でのユーザの通信品質をより良く向上させることができる。図１に示すＭＲＮには、ローカルＩＰアクセス（Ｌｏｃａｌ  ＩＰ  Ａｃｃｅｓｓ）ゲートウェイが設置される。
【０００３】
移動中継（ｍｏｂｉｌｅ  ｒｅｌａｙ）が図２に示す構造（即ち標準化したＲ１０  ｆｉｘ  ｒｅｌａｙと同じ構造であって、通常、構造２と呼ばれる）を用いることができる場合、ＭＲＮのサービスゲートウェイ（Ｓ−ＧＷ：Ｓｅｒｖｉｎｇ  Ｇａｔｅｗａｙ）、パケットデータネットワークゲートウェイ（Ｐ−ＧＷ：Ｐａｃｋｅｔ  Ｄａｔａ  Ｎｅｔｗｏｒｋ  Ｇａｔｅｗａｙ）と中継ゲートウェイ（ｒｅｌａｙ  ＧＷ：ｒｅｌａｙ  Ｇａｔｅｗａｙ）は、それが初期アクセスしたＤｅＮＢ（Ｉｎｉｔｉａｌ  ＤｅＮＢ）に位置する。そのなか、ＤｅＮＢにおけるｒｅｌａｙ  ＧＷは、Ｓ１インターフェース、Ｘ２インターフェースのデータおよびシグナリング提供プロキシー機能である。このような構造において、ＭＲＮがｉｎｉｔｉａｌ  ＤｅＮＢに遠く移動する場合、ＵＥデータがまずｉｎｉｔｉａｌ  ＤｅＮＢに到達し、次にＳｅｒｖｉｎｇ  ＤｅＮＢにルーティングされ、経路が長く、遅延が大きい。したがって、ルーティング最適化解決手段を考える必要があって、ＭＲＮがＩｎｉｔｉａｌ  Ｄｅ  ＮＢに遠く移動する場合、ＭＲＮのＧＷは、ＭＲＮにサービングする、ＤｅＮＢに内蔵されたゲートウェイに切り替えられる。図３に示すように、ＭＲＮが切り替えられる前に、そのＧＷ（ＧＷ１）がＤｅＮＢ１に位置し、現在ＭＲＮがＤｅＮＢ３によってサービングされ、ＵＥデータがまずＤｅＮＢ１のＧＷに到達し、次にＤｅＮＢ２を経由してＤｅＮＢ３へルーティングされ、これは、間違いなくデータルーティング経路の増加につながる。ＭＲＮが切り替えプロセス、例えばＤｅＮＢ３からＤｅＮＢ４への切り替えプロセスにおいて、そのＧＷをＤｅＮＢ４に内蔵されたＧＷ（ＧＷ４）に再配置することができ、それによってＵＥのデータが直接ＤｅＮＢ４に到達することが可能となり、経路の長さを短縮させ、データの遅延を減少させる。
【０００４】
また、ユーザのニーズを良く満たし、ユーザ体験をさらに向上させるために、３ＧＰＰにおいて、ＬＴＥ（ＬＴＥ：Ｌｏｎｇ  Ｔｅｒｍ  Ｅｖｏｌｕｔｉｏｎ）システムのＵＥに高速なローカルサービスを提供し、そしてエアインターフェースバックホールリンク（ｂａｃｋｈａｕｌ  ｌｉｎｋ）帯域幅リソースを節約するように、移動中継がＬＩＰＡ機能をサポートすることが考えられる。例えば、ＵＥは、ＭＲＮにおける同じ位置に設置されるＬ−ＧＷを介してローカルパケットデータネットワーク（ＰＤＮ：Ｐａｃｋｅｔ  Ｄａｔａ  Ｎｅｔｗｏｒｋ）に接続されてマルチメディアリソースを取得し、またはローカルサーバを介してマルチユーザのソーシャルネットワークアプリケーション、例えばファイル共有、チャット、ゲームなどをサポートすることができる。図１に示すように、Ｌ−ＧＷ機能エンティティは、車室内に位置する移動中継（ｍｏｂｉｌｅ  ｒｅｌａｙ）ノードに内蔵されることができる。Ｌ−ＧＷは、ＳＧｉインターフェースを介してＰＤＮに接続される。ＬＩＰＡ接続がある接続状態のＵＥに対して、Ｌ−ＧＷとＭＲＮの間にＬＩＰＡサービスデータのための直接的トンネルがあり、かつＭＲＮにおけるＬ−ＧＷがＤｅＮＢを介してＵＥ  Ｓ−ＧＷとＩＤＬＥ状態のＵＥのページングおよびＳ５シグナリング伝送のためのＳ５インターフェースコアネットワークトンネルを確立する。ＬＩＰＡ  ＰＤＮ接続があるＵＥは、ＩＤＬＥ状態に入った後に、その直接的トンネルが解放され、コアネットワークトンネルが続けて保留されている。
【０００５】
移動中継（ｍｏｂｉｌｅ  ｒｅｌａｙ）がＬＩＰＡをサポートする場合、移動中継（ｍｏｂｉｌｅ  ｒｅｌａｙ）ノードは、Ｓ−ＧＷネットワーク要素に接続されない。かつＬＧＷとＭＲＮが一体として同じ位置に設置されるので、コアネットワーク要素からＭＲＮにおける同じ位置に設置されたＬＧＷに送信されたすべてのデータは、ＤｅＮＢと同じ位置に設置されたＲＮ  Ｐ−ＧＷによりルーティングされなければ、到達できない。そのため、ＲＮ  Ｐ−ＧＷによってＬＧＷにＩＰアドレスを割り当てる必要があって、ＬＧＷは、ＭＲＮと同じまたは異なるＩＰアドレスを使用できる。ＭＲＮが移動する過程に切り替え、そしてそれにサービングされるＧＷを再配置する場合、ＭＲＮにサービングされる新しいＰＧＷは、ＬＧＷに新しいＩＰアドレスを割り当てる必要があって、即ちＬＧＷのアドレスが変化する。
【０００６】
従来のプロトコル仕様がＬＩＰＡ  ＰＤＮ接続の移動性をサポートしない。ホーム基地局（ＨｅＮＢ）の応用シーンにおいて、ＵＥがトラッキングエリア更新（ＴＡＵ：Ｔｒａｃｋｉｎｇ  Ａｒｅａ  Ｕｐｄａｔｅ）を開始すると、それにサービングされたソースモビリティ管理エンティティ（ＭＭＥ：Ｍｏｂｉｌｉｔｙ  Ｍａｎａｇｅｍｅｎｔ  Ｅｎｔｉｔｙ）は、ＬＩＰＡ  ＰＤＮ接続があるかどうかを検査する必要があって、存在すれば、ＴＡＵプロセスにおけるソースＭＭＥの発展型パケットシステム（ＥＰＳ：Ｅｖｏｌｅｄ  Ｐａｃｋｅｔ  Ｓｙｓｔｅｍ）のコンテキストベアラにＬＩＰＡベアラを含めず、ＭＭＥによって要求されたＰＤＮ接続削除プロセスを実行して当該ＬＩＰＡ  ＰＤＮ接続のコアネットワークリソースを解放する。ＵＥがサービス要求プロセスを開始する場合、当該ＵＥのＬＩＰＡ  ＰＤＮ接続があると、ＭＭＥは、ＬＧＷアドレスに基づいてＵＥの現在の存在するセルがＵＥのＬＩＰＡ  ＰＤＮに接続されたＬＧＷに接続されるかどうかを判定する必要がある。接続されない場合、ＭＭＥは、ＬＩＰＡ  ＰＤＮ接続のベアラ確立を要求しなく、そして、当該ＬＩＰＡ  ＰＤＮ接続の接続削除プロセスを実行し、または当該サービス要求を拒絶し、そしてＵＥを脱付着させる。
【０００７】
高速鉄道列車のシーンにおいて、ＭＲＮがＬＩＰＡ機能をサポートし、ＵＥがＭＲＮに対して移動しないと、ＵＥが同じＭＲＮおよびＬＧＷによってサービングされる場合、ＵＥのＡＴＵとサービス要求過程においてそのＬＩＰＡ  ＰＤＮ接続を解放する必要がない。従来のプロトコル仕様に従って、ＬＩＰＡ接続があるＵＥが一旦ＴＡＵを開始したら、ＭＭＥは、そのＬＩＰＡ  ＰＤＮ接続を解放する。そしてＭＲＮは、ＤｅＮに切り替えられた後にＧＷの再配置が発生する場合、ＭＲＮと同じ位置に設置されたＬＧＷのアドレスは、変化し、アイドル（ＩＤＬＥ）状態のＵＥがサービス要求を開始する時にＬＧＷアドレスが前回の接続状態の場合に比べて変化する場合、当該ＵＥのＬＩＰＡ  ＰＤＮ接続が解放されてしまい、さらにはサービス要求が拒絶され、かつＵＥが脱付着されてしまう。したがって、移動中継（ｍｏｂｉｌｅ  ｒｅｌａｙ）がＬＩＰＡをサポートする場合、上記のＬＩＰＡ接続解放問題を解決する必要がある。
【０００８】
残念ながら、現在、関連技術は、参考のために用意されていない。
【発明の概要】
【発明が解決しようとする課題】
【０００９】
これを鑑みて、本発明の主な目的は、移動している移動中継ノードにおけるＵＥのＬＩＰＡ接続がスムーズに切り替えられることができるように、ローカルＩＰアクセス接続を解放する方法および装置、移動管理ユニット、無線側ネットワーク要素を提供することにある。
【課題を解決するための手段】
【００１０】
上記目的を達成するために、本発明の技術的解決手段は、以下のように実現される。
ローカルＩＰアクセス接続を解放する方法は、
移動管理ユニットが、受信されたローカルＩＰアクセス（ＬＩＰＡ）接続解放補助情報に基づいてＬＩＰＡ接続解放検査を実行して、ユーザ装置（ＵＥ）のＬＩＰＡ接続を解放するかどうかを確定することを含む。
【００１１】
好ましくは、前記ＬＩＰＡ接続解放補助情報は、
ＬＩＰＡ接続解放指示情報と、
前記ＵＥが前回接続状態にある場合のサービスセルの識別子情報との少なくとも一つを含む。
【００１２】
好ましくは、移動管理ユニットがＬＩＰＡ接続解放補助情報を受信することは、
無線側ネットワーク要素が前記ＵＥから送信された前記ＵＥが前回接続状態にある場合のサービスセルの識別子情報を受信した場合、前記移動管理ユニットに送信すること、
または、無線側ネットワーク要素が、前記ＵＥから送信された前記ＵＥが前回接続状態にある場合のサービスセルの識別子情報を受信した場合、前記ＵＥが前回接続状態にある場合のサービスセルの識別子情報に基づいて、前記ＵＥのＬＩＰＡ接続を解放する必要があるかどうかを判定し、そして判定結果をＬＩＰＡ接続解放指示情報により前記移動管理ユニットに指示すること、
または、前記ＵＥが自身のＬＩＰＡ接続を解放する必要があるかどうかを判定し、そして判定結果をＬＩＰＡ接続解放指示情報により前記移動管理ユニットに指示することを含む。
【００１３】
好ましくは、前記ＵＥが前回接続状態にある場合のサービスセルの識別子情報に基づいて、前記ＵＥのＬＩＰＡ接続を解放する必要があるかどうかを判定することは、
前記無線側ネットワーク要素が受信された前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると判定すること、
または、前記無線側ネットワーク要素が、受信された前記ＵＥが前回接続状態にあるサービスセルの識別子情報に基づいて、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定することを含む。
【００１４】
好ましくは、前記ＵＥが自身のＬＩＰＡ接続を解放する必要があるかどうかを判定することは、
前記ＵＥが、前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記ＵＥが、前記ＵＥが前回接続状態にある場合のサービスセルの識別子情報に基づいて、前記ＵＥが現在アクセスしたセルと前記ＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定することを含む。
【００１５】
好ましくは、前記移動管理ユニットが、受信されたＬＩＰＡ接続解放補助情報に基づいてＬＩＰＡ接続解放検査を実行することは、
前記移動管理ユニットがトラッキングエリア更新（ＴＡＵ）またはサービス要求の過程においてＬＩＰＡ接続解放補助情報に基づいてＬＩＰＡ接続解放検査を実行することを含む。
【００１６】
好ましくは、前記移動管理ユニットが、受信されたＬＩＰＡ接続解放補助情報に基づいてＬＩＰＡ接続解放検査を実行することは、
前記移動管理ユニットが、受信された前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記移動管理ユニットが、受信された前記ＵＥが前回接続状態にある場合のサービスセルの識別子情報に基づいて、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記移動管理ユニットが、受信されたＬＩＰＡ接続解放指示情報が前記ＵＥのＬＩＰＡ接続を解放することを指示すると判定した場合、前記ＵＥのＬＩＰＡ接続を解放する必要があると確定し、前記ＬＩＰＡ接続解放指示情報が、前記ＵＥのＬＩＰＡ接続を解放しないことを指示する場合、前記ＵＥのＬＩＰＡ接続を解放する必要がないと確定すること、
または、前記移動管理ユニットが、設定された時間内にＬＩＰＡ接続解放補助情報を受信しない場合、前記ＵＥのＬＩＰＡ接続を解放する必要があると確定することを含む。
【００１７】
好ましくは、前記移動管理ユニットが、受信されたＬＩＰＡ接続解放補助情報に基づいてＬＩＰＡ接続解放検査を実行した後に、前記方法は、
前記移動管理ユニットが、前記ＵＥのＬＩＰＡ接続を解放する必要があると確定した場合、パケットデータネットワーク（ＰＤＮ）接続削除プロセスを開始して、前記ＵＥのＬＩＰＡ接続を解放することをさらに含む。
【００１８】
好ましくは、前記ＬＩＰＡ接続解放補助情報は、非アクセス層（ＮＡＳ）情報にベアリングされて送信される。
【００１９】
好ましくは、前記無線側ネットワーク要素は、
中継ノード、移動中継ノード、ドナーｅＮＢ、ホーム基地局、ホーム基地局ゲートウェイの少なくとも一つを含む。
【００２０】
ローカルＩＰアクセス接続を解放する方法は、
無線側ネットワーク要素が、受信されたローカルＩＰアクセス（ＬＩＰＡ）接続解放補助情報に基づいてＬＩＰＡ接続解放検査を実行し、ユーザ装置（ＵＥ）のＬＩＰＡ接続を解放するかどうかを確定することを含む。
【００２１】
好ましくは、前記ＬＩＰＡ接続解放補助情報は、
ＬＩＰＡ接続解放指示情報と、
前記ＵＥが前回接続状態にある場合のサービスセルの識別子情報との少なくとも一つを含む。
【００２２】
好ましくは、無線側ネットワーク要素がＬＩＰＡ接続解放補助情報を受信することは、
前記ＵＥが、ＵＥが前回接続状態にある場合のサービスセルの識別子情報をＮＡＳ情報により移動管理ユニットに送信し、前記移動管理ユニットがベアラ確立実行プロセスにおいて前記ＵＥが前回接続状態にある場合のサービスセルの識別子情報を前記無線側ネットワーク要素に送信すること、
または、前記ＵＥが自身のＬＩＰＡ接続を解放する必要があるかどうかを確定し、そして判定結果をＬＩＰＡ接続解放指示情報により移動管理ユニットに指示し、前記移動管理ユニットがベアラ確立実行プロセスにおいてさらに前記判定結果をＬＩＰＡ接続解放指示情報により前記無線側ネットワーク要素に指示することを含む。
【００２３】
好ましくは、前記無線側ネットワーク要素が、受信されたＬＩＰＡ接続解放補助情報に基づいてＬＩＰＡ接続解放検査を実行することは、
前記無線側ネットワーク要素が、受信されたＬＩＰＡ接続解放補助情報がＬＩＰＡ接続解放指示情報であると確定し、前記ＬＩＰＡ接続解放指示情報がＬＩＰＡ接続を解放することを指示する場合は、前記無線側ネットワーク要素が前記ＵＥのＬＩＰＡ接続を解放すると確定し、前記ＬＩＰＡ接続解放指示情報がＬＩＰＡ接続を解放しないことを指示する場合は、前記無線側ネットワーク要素が前記ＵＥのＬＩＰＡ接続を解放しないと確定すること、
または、前記無線側ネットワークが、受信されたＬＩＰＡ接続解放補助情報がＵＥが前回接続状態にある場合のサービスセルの識別子情報であると確定し、前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかをと確定し、そうであれば、前記ＵＥのＬＩＰＡ接続を解放する必要がないと確定し、そうでなければ、前記ＵＥのＬＩＰＡ接続を解放する必要があると確定すること、
または、前記無線側ネットワーク要素が、受信された前記ＵＥが前回接続状態にある場合のサービスセルの識別子情報に基づいて、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記無線側ネットワーク要素が、設定された時間内にＬＩＰＡ接続解放補助情報を受信しない場合、前記ＵＥのＬＩＰＡ接続を解放する必要があると確定することを含む。
【００２４】
好ましくは、前記無線側ネットワーク要素が受信されたＬＩＰＡ接続解放補助情報に基づいてＬＩＰＡ接続解放検査を実行した後に、前記方法は、
前記無線側ネットワーク要素が、前記ＵＥのＬＩＰＡ接続を解放する必要があると確定した場合、前記ＵＥのＬＩＰＡ接続を解放するように接続されたローカルゲートウェイに指示することをさらに含む。
【００２５】
ローカルＩＰアクセス接続を解放する装置は、
ローカルＩＰアクセス（ＬＩＰＡ）接続解放補助情報を受信するように構成される受信ユニットと、
前記ローカルＩＰアクセス（ＬＩＰＡ）接続解放補助情報に基づいてＬＩＰＡ接続解放検査を実行するように実行ユニットと、
ユーザ装置（ＵＥ）のＬＩＰＡ接続を解放するかどうかを確定するように構成される確定ユニットとを含む。
【００２６】
好ましくは、前記ＬＩＰＡ接続解放補助情報は、
ＬＩＰＡ接続解放指示情報と、
前記ＵＥが前回接続状態にある場合のサービスセルの識別子情報との少なくとも一つを含む。
【００２７】
好ましくは、前記受信ユニットは、さらに、無線側ネットワーク要素から送信された前記ＵＥが前回接続状態にある場合のサービスセルの識別子情報を受信するように構成され、ここで、前記無線側ネットワーク要素が前記ＵＥから前記ＵＥが前回接続状態にある場合のサービスセルの識別子情報を受信し、そして前記受信ユニットに送信し、
または、前記受信ユニットは、さらに、無線側ネットワーク要素から送信されたＬＩＰＡ接続解放指示情報を受信するように構成され、ここで、前記無線側ネットワーク要素が前記ＵＥから送信された前記ＵＥが前回接続状態にある場合のサービスセルの識別子情報を受信した場合、前記ＵＥが前回接続状態にある場合のサービスセルの識別子情報に基づいて、前記ＵＥのＬＩＰＡ接続を解放する必要があるかどうかを判定し、そして判定結果をＬＩＰＡ接続解放指示情報により前記受信ユニットに送信し、
または、前記受信ユニットは、さらに、前記ＵＥから送信されたＬＩＰＡ接続解放指示情報を受信するように構成され、ここで、前記ＵＥが自身のＬＩＰＡ接続を解放する必要があるかどうかを判定し、そして判定結果をＬＩＰＡ接続解放指示情報により前記受信ユニットに送信する。
【００２８】
好ましくは、前記実行ユニットは、さらに、トラッキングエリア更新（ＴＡＵ）またはサービス要求の過程においてＬＩＰＡ接続解放補助情報に基づいてＬＩＰＡ接続解放検査を実行するように構成される。
【００２９】
好ましくは、前記確定ユニットは、さらに、前記受信ユニットにより受信されたＬＩＰＡ接続解放指示情報が、前記ＵＥが前回接続状態にある場合のサービスセルの識別子情報であると確定した場合、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定するように構成され、
または、前記確定ユニットは、さらに、前記受信ユニットにより受信されたＬＩＰＡ接続解放指示情報が、ＵＥが前回接続状態にある場合のサービスセルの識別子情報であると確定した場合、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定するように構成され、
前記確定ユニットは、さらに、前記受信ユニットにより受信されたＬＩＰＡ接続解放指示情報が前記ＵＥのＬＩＰＡ接続を解放することを指示する場合、前記ＵＥのＬＩＰＡ接続を解放する必要があると確定し、前記ＬＩＰＡ接続解放指示情報が前記ＵＥのＬＩＰＡ接続を解放しないことを指示する場合、前記ＵＥのＬＩＰＡ接続を解放する必要がないと確定するように構成され、
または、前記確定ユニットは、さらに、前記受信ユニットが設定された時間内にＬＩＰＡ接続解放補助情報を受信しないと確定した場合、前記ＵＥのＬＩＰＡ接続を解放する必要があると確定するように構成される。
【００３０】
好ましくは、前記装置は、
前記確定ユニットが、前記ＵＥのＬＩＰＡ接続を解放する必要があると確定した場合、パケットデータネットワーク（ＰＤＮ）接続削除プロセスを開始し、前記ＵＥのＬＩＰＡ接続を解放するように構成される解放ユニットをさらに含む。
【００３１】
好ましくは、前記受信ユニットは、さらに、移動管理ユニットから送信されたＵＥが前回接続状態にある場合のサービスセルの識別子情報を受信するように構成され、ここで、前記ＵＥが、前記ＵＥが前回接続状態にある場合のサービスセルの識別子情報をＮＡＳ情報により移動管理ユニットに送信し、前記移動管理ユニットがベアラ確立実行プロセスにおいて前記ＵＥが前回接続状態にある場合のサービスセルの識別子情報を前記受信ユニットに送信し、
または、前記受信ユニットは、さらに、前記ＵＥから送信されたＬＩＰＡ接続解放指示情報を受信するように構成され、ここで、前記ＵＥが自身のＬＩＰＡ接続を解放する必要があるかどうかを確定し、そして判定結果をＬＩＰＡ接続解放指示情報により移動管理ユニットに指示するように構成され、前記移動管理ユニットがベアラ確立実行プロセスにおいてさらに前記判定結果をＬＩＰＡ接続解放指示情報により前記受信ユニットに送信する。
【００３２】
好ましくは、前記確定ユニットは、さらに、前記受信ユニットにより受信された前記ＬＩＰＡ接続解放補助情報がＬＩＰＡ接続解放指示情報であると確定し、前記ＬＩＰＡ接続解放指示情報がＬＩＰＡ接続を解放することを指示する場合は、前記ＵＥのＬＩＰＡ接続を解放すると確定し、前記ＬＩＰＡ接続解放指示情報がＬＩＰＡ接続を解放しないことを指示する場合は、前記ＵＥのＬＩＰＡ接続を解放しないと確定するように構成され、
前記確定ユニットは、さらに、前記受信ユニットにより受信された前記ＬＩＰＡ接続解放補助情報が、前記ＵＥが前回接続状態にある場合のサービスセルの識別子情報であると確定した場合、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定するように構成され、
または、前記確定ユニットは、さらに、前記受信ユニットにより受信された前記ＬＩＰＡ接続解放補助情報が、前記ＵＥが前回接続状態にある場合のサービスセルの識別子情報であると確定した場合、前記ＵＥが現在アクセスしたセルとＵＥが前回接続状態にある場合のセルが同じ基地局に属するかどかを判定し、そうであれば、前記ＵＥのＬＩＰＡ接続を解放する必要がないと確定し、そうでなければ、前記ＵＥのＬＩＰＡ接続を解放する必要があると確定するように構成され、
または、前記確定ユニットは、さらに、前記受信ユニットが設定された時間内にＬＩＰＡ接続解放補助情報を受信しないと確定した場合、前記ＵＥのＬＩＰＡ接続を解放する必要があると確定するように構成される。
【００３３】
好ましくは、前記装置は、
前記確定ユニットが前記ＵＥのＬＩＰＡ接続を解放する必要があると確定した場合、前記ＵＥのＬＩＰＡ接続を解放するように接続されたローカルゲートウェイに指示するように構成される解放ユニットをさらに含む。
【００３４】
移動管理ユニットは、上述したローカルＩＰアクセス接続を解放する装置を含む。
【００３５】
無線側ネットワーク要素は、上述したローカルＩＰアクセス接続を解放する装置を含む。
【００３６】
本発明において、移動管理ユニットまたは無線側ネットワーク要素は、受信されたＬＩＰＡ接続解放補助情報に基づいてＬＩＰＡ接続解放検査を実行し、ユーザ装置（ＵＥ）のＬＩＰＡ接続を解放するかどうかを確定する。移動管理ユニットは、ＵＥのＬＩＰＡ接続を解放する必要があると確定した場合、ＰＤＮ接続削除プロセスを開始し、ＵＥのＬＩＰＡ接続を解放するが、無線側ネットワーク要素は、ＵＥのＬＩＰＡ接続を解放すると確定した場合、前記ＵＥのＬＩＰＡ接続を解放するように直接接続されたローカルゲートウェイに指示する。本発明の技術的解決手段によれば、移動中継（ｍｏｂｉｌｅ  ｒｅｌａｙ）がＬＩＰＡをサポートする場合、ＭＲＮの切り替えプロセスにおけるＵＥのＬＩＰＡ接続の連続性を確保し、さらにＵＥのＬＩＰＡサービスの連続性を確保し、ユーザのサービス品質とユーザ体験を向上させる。
【図面の簡単な説明】
【００３７】
【図１】高速鉄道列車のシーンにおいてＬＩＰＡ機能をサポートする移動中継システムの構造を示す図である。
【図２】Ｒ１０固定中継システムの構造を示す図である。
【図３】移動中継（ｍｏｂｉｌｅ  ｒｅｌａｙ）がＲ１０固定中継システム構造を用いるルーティング構造を示す図である。
【図４】本発明に係るローカルＩＰアクセス接続を解放する方法のフローチャートである。
【図５】本発明の実施形態一に係るローカルＩＰアクセス接続を解放する方法のフローチャートである。
【図６】本発明の実施形態二に係るローカルＩＰアクセス接続を解放する方法のフローチャートである。
【図７】本発明の実施形態三に係るローカルＩＰアクセス接続を解放する方法のフローチャートである。
【図８】本発明の実施形態四に係るローカルＩＰアクセス接続を解放する方法のフローチャートである。
【図９】本発明の実施形態五に係るローカルＩＰアクセス接続を解放する方法のフローチャートである。
【図１０】本発明の実施形態一のフローチャートである。
【図１１】本発明の実施形態二のフローチャートである。
【図１２】本発明の実施形態三のフローチャートである。
【図１３】本発明の実施形態四のフローチャートである。
【図１４】本発明の実施形態一に係るローカルＩＰアクセス接続を解放する装置の構成構造を示す図である。
【図１５】本発明の実施形態二に係るローカルＩＰアクセス接続を解放する装置の構成構造を示す図である。
【発明を実施するための形態】
【００３８】
本発明の目的、技術的解決手段と利点がより明らかになるために、以下、実施形態を挙げて図面を参照して本発明をさらに詳しく説明する。
【００３９】
図４は本発明に係るローカルＩＰアクセス接続を解放する方法のフローチャートである。図４に示すように、本発明に係るローカルＩＰアクセス接続を解放する方法は、以下のステップを含む。
【００４０】
ステップ４０１において、ＬＩＰＡ接続解放補助情報を受信する。
【００４１】
本発明において、ＬＩＰＡ接続解放補助情報は、ＬＩＰＡ接続解放指示情報、ＵＥが前回接続状態にある場合のサービスセルの識別子情報の少なくとも一つを含む。そのなか、ＬＩＰＡ接続解放指示情報は、ＬＩＰＡ接続、即ちＬＩＰＡ  ＰＤＮ接続を解放する必要があるかどうかを指示することに用いられ、前記ＵＥが前回接続状態にある場合のサービスセルの識別子情報が少なくともセル識別子を含む。
【００４２】
本発明において、ＬＩＰＡ接続解放補助情報を受信して関連処理を行うものが移動管理ユニットであってよく、無線側ネットワーク要素であってもよく、以下それぞれ説明する。移動管理ユニットは、モビリティ管理エンティティ（ＭＭＥ）であってよく、サービングＧＰＲＳサポートノード（ＳＧＳＮ：Ｓｅｒｖｉｎｇ  ＧＰＲＳ  Ｓｕｐｐｏｒｔ  Ｎｏｄｅ）であってもよい。無線側ネットワーク要素は、中継ノード、移動中継ノード、ホーム基地局、ドナーｅＮＢ、ホーム基地局ゲートウェイなどの少なくとも一つであってよい。
【００４３】
移動管理ユニットがＭＭＥである場合、モビリティ管理エンティティがＬＩＰＡ接続解放補助情報を受信することは、ＵＥが、前記ＵＥが前回接続状態にある場合のサービスセルの識別子情報を無線側ネットワーク要素に送信し、前記無線側ネットワーク要素が、前記ＵＥが前回接続状態にある場合のサービスセルの識別子情報をモビリティ管理エンティティに送信し、前記無線側ネットワーク要素が他のネットワーク要素によりＵＥが前回接続状態にある場合のサービスセルの識別子情報をモビリティ管理エンティティに送信することができ、または、ＵＥが、前記ＵＥが前回接続状態にある場合のサービスセルの識別子情報を無線側ネットワーク要素に送信し、前記無線側ネットワーク要素が、前記ＵＥが前回接続状態にある場合のサービスセルの識別子情報に基づいて、前記ＵＥのＬＩＰＡ  ＰＤＮ接続を解放する必要があるかどうかを判定し、その後判定結果をモビリティ管理エンティティに指示することを含む。前記無線側ネットワーク要素が前記ＵＥのＬＩＰＡ  ＰＤＮ接続を解放する必要があると判定した場合、前記無線ネットワーク要素は、ＬＩＰＡ  ＰＤＮ接続を解放する必要があることを指示するＬＩＰＡ接続解放指示情報を、モビリティ管理エンティティに送信し、またはＬＩＰＡ接続解放指示情報を送信しないことによりモビリティ管理エンティティに暗黙的に指示する。前記無線側ネットワーク要素が前記ＵＥのＬＩＰＡ  ＰＤＮ接続を解放する必要がないと判定した場合、前記無線側ネットワーク要素は、ＬＩＰＡ  ＰＤＮ接続を解放する必要がないことを指示するＬＩＰＡ接続解放指示情報を、モビリティ管理エンティティに送信する。無線ネットワーク要素は、他のネットワーク要素によりＬＩＰＡ接続解放指示情報をモビリティ管理エンティティに送信することができ、または、ＵＥは、ＬＩＰＡ  ＰＤＮ接続を解放する必要があるかどうかを判定し、その後判定結果を無線ネットワーク要素によりモビリティ管理エンティティに指示する。前記ＵＥが前記ＵＥのＬＩＰＡ  ＰＤＮ接続を解放する必要があると判定した場合、前記ＵＥは、ＬＩＰＡ  ＰＤＮ接続を解放する必要があることを指示するＬＩＰＡ接続解放指示情報を、モビリティ管理エンティティに送信し、または、ＬＩＰＡ接続解放指示情報を送信しないことによりモビリティ管理エンティティに暗黙的に指示する。前記ＵＥが前記ＵＥのＬＩＰＡ  ＰＤＮ接続を解放する必要がないと判定した場合、前記ＵＥは、ＬＩＰＡ  ＰＤＮ接続を解放する必要がないことを指示するＬＩＰＡ接続解放指示情報をモビリティ管理エンティティに送信する。
【００４４】
ここで、前記無線側ネットワーク要素が、前記ＵＥが前回接続状態にある場合のサービスセルの識別子情報に基づいて、前記ＵＥのＬＩＰＡ  ＰＤＮ接続を解放する必要があるかどうかを判定することは、前記無線側ネットワーク要素がＵＥから送信されたＵＥが前回接続状態にある場合のサービスセルの識別子情報に基づいて、現在アクセスしたセルとＵＥが前回接続状態にある場合のサービスセルが同じセルであるかどうかを判定し、そうであれば、前記ＵＥのＬＩＰＡ  ＰＤＮ接続を解放する必要がないと判定し、そうでなければ、前記ＵＥのＬＩＰＡ  ＰＤＮ接続を解放する必要があると判定し、または、前記無線側ネットワーク要素がＵＥから送信されたＵＥが前回接続状態にある場合のサービスセルの識別子情報に基づいて、現在アクセスしたセルとＵＥが前回接続状態にある場合のサービスセルが同じ基地局に属するかどうかを判定し、そうであれば、前記ＵＥのＬＩＰＡ  ＰＤＮ接続を解放する必要がないと判定し、そうでなければ、前記ＵＥのＬＩＰＡ  ＰＤＮ接続を解放する必要があると判定することを含む。
【００４５】
前記ＵＥがＬＩＰＡ  ＰＤＮ接続を解放する必要があるかどうかを判定することは、前記ＵＥが前回接続状態にある場合のサービスセルの識別子情報に基づいて、現在アクセスしたセルと前回接続状態にある場合のサービスセルが同じセルであるかどうかを判定し、そうであれば、前記ＵＥのＬＩＰＡ  ＰＤＮ接続を解放する必要がないと判定し、そうでなければ、前記ＵＥのＬＩＰＡ  ＰＤＮ接続を解放する必要があると判定し、または、前記ＵＥが前回接続状態にある場合のサービスセルの識別子情報に基づいて、現在アクセスしたセルと前回接続状態にある場合のサービスセルが同じ基地局に属するかどうかを判定し、そうであれば、前記ＵＥのＬＩＰＡ  ＰＤＮ接続を解放する必要がないと判定し、そうでなければ、前記ＵＥのＬＩＰＡ  ＰＤＮ接続を解放する必要があると判定することを含む。
【００４６】
本発明において、ＬＩＰＡ接続解放補助情報を受信して関連処理を行うものが無線側ネットワーク要素である場合、ＬＩＰＡ接続解放補助情報を受信することは、前記ＵＥが、ＵＥが前回接続状態にある場合のサービスセルの識別子情報をＮＡＳ情報によりモビリティ管理エンティティに送信し、前記モビリティ管理エンティティがその後ベアラ確立プロセスを実行する場合、前記ベアラ確立プロセスにおいて前記ＵＥが前回接続状態にある場合のサービスセルの識別子情報を前記無線側ネットワーク要素に送信し、または、前記ＵＥがＬＩＰＡ  ＰＤＮ接続を解放する必要があるかどうかを判定し、その後判定結果をモビリティ管理エンティティに指示することを含む。前記ＵＥが前記ＵＥのＬＩＰＡ  ＰＤＮ接続を解放する必要があると判定した場合、前記ＵＥは、ＬＩＰＡ  ＰＤＮ接続を解放する必要があることを指示するＬＩＰＡ接続解放指示情報を、ＮＡＳ情報により前記モビリティ管理エンティティに送信し、またはＬＩＰＡ接続解放指示情報を送信しないことにより前記モビリティ管理エンティティに暗黙的に指示する。前記ＵＥが前記ＵＥのＬＩＰＡ  ＰＤＮ接続を解放する必要がないと判定した場合、前記ＵＥは、ＬＩＰＡ  ＰＤＮ接続を解放する必要がないことを指示するＬＩＰＡ接続解放指示情報を、ＮＡＳ情報により前記モビリティ管理エンティティに送信する。前記モビリティ管理エンティティは、その後ベアラ確立プロセスを実行する場合、前記ベアラ確立プロセスにおいて受信された前記ＬＩＰＡ接続解放指示情報を前記無線側ネットワークに送信する。
【００４７】
ステップ４０２において、受信されたローカルＩＰアクセス（ＬＩＰＡ）接続解放補助情報に基づいてＬＩＰＡ接続解放検査を実行する。
【００４８】
ＬＩＰＡ接続解放検査を実行する本体がモビリティ管理エンティティである場合、ＬＩＰＡ接続解放検査を実行することは、前記ＵＥのＬＩＰＡ  ＰＤＮ接続があり、かつモビリティ管理エンティティにより受信されたＬＩＰＡ接続解放補助情報がＬＩＰＡ接続解放指示情報であり、かつ前記ＬＩＰＡ接続解放指示情報がＬＩＰＡ  ＰＤＮ接続を解放する必要があることを指示する場合、前記モビリティ管理エンティティが前記ＵＥのＬＩＰＡ  ＰＤＮ接続を解放すると確定し、前記ＵＥのＬＩＰＡ  ＰＤＮ接続があり、かつモビリティ管理エンティティにより受信されたＬＩＰＡ接続解放補助情報がＬＩＰＡ接続解放指示情報であり、かつ前記ＬＩＰＡ接続解放指示情報がＬＩＰＡ  ＰＤＮ接続を解放する必要がないことを指示する場合、前記モビリティ管理エンティティが前記ＵＥのＬＩＰＡ  ＰＤＮ接続を解放しないと確定し、前記ＵＥのＬＩＰＡ  ＰＤＮ接続があり、かつモビリティ管理エンティティにより受信されたＬＩＰＡ接続解放補助情報が、ＵＥが前回接続状態にある場合のサービスセルの識別子情報である場合、前記モビリティ管理エンティティが前記ＵＥのＬＩＰＡ  ＰＤＮ接続を解放する必要があるかどうかを判定し、必要がある場合、前記モビリティ管理エンティティが前記ＵＥのＬＩＰＡ  ＰＤＮ接続を解放すると確定し、そうでなければ、前記ＵＥのＬＩＰＡ  ＰＤＮ接続を解放しないと確定し、前記ＵＥのＬＩＰＡ  ＰＤＮ接続があり、かつモビリティ管理エンティティが設定された時間内にＬＩＰＡ接続解放補助情報を受信しなく、即ちＬＩＰＡ  ＰＤＮ接続を解放する必要があることを暗黙的に指示する場合、前記モビリティ管理エンティティが前記ＵＥのＬＩＰＡ  ＰＤＮ接続を解放すると確定することである。
【００４９】
具体的には、前記モビリティ管理エンティティは、トラッキングエリア更新またはサービス要求の過程においてＬＩＰＡ接続解放補助情報に基づいてＬＩＰＡ接続解放検査を実行する。
【００５０】
ＬＩＰＡ接続解放検査を実行する本体が無線側ネットワーク要素である場合、ＬＩＰＡ接続解放検査を実行することは、前記ＵＥのＬＩＰＡ  ＰＤＮ接続があり、かつ前記無線側ネットワーク要素により受信されたＬＩＰＡ接続解放補助情報がＬＩＰＡ接続解放指示情報であり、かつ前記ＬＩＰＡ接続解放指示情報がＬＩＰＡ  ＰＤＮ接続を解放する必要があることを指示する場合、前記無線側ネットワーク要素が前記ＵＥのＬＩＰＡ  ＰＤＮ接続を解放すると確定し、前記ＵＥのＬＩＰＡ  ＰＤＮ接続があり、かつ前記無線側ネットワーク要素により受信されたＬＩＰＡ接続解放補助情報がＬＩＰＡ接続解放指示情報であり、かつ前記ＬＩＰＡ接続解放指示情報がＬＩＰＡ  ＰＤＮ接続を解放する必要がないことを指示する場合、前記無線側ネットワーク要素が前記ＵＥのＬＩＰＡ  ＰＤＮ接続を解放しないと確定し、前記ＵＥのＬＩＰＡ  ＰＤＮ接続があり、かつ前記無線側ネットワーク要素により受信されたＬＩＰＡ接続解放補助情報が、ＵＥが前回接続状態にある場合のサービスセルの識別子情報である場合、前記無線側ネットワーク要素が、前記ＵＥが前回接続状態にある場合のサービスセルの識別子情報に基づいて、前記ＵＥのＬＩＰＡ  ＰＤＮ接続を解放する必要があるかどうかを判定し、必要がある場合、前記無線側ネットワーク要素が前記ＵＥのＬＩＰＡ  ＰＤＮ接続を解放すると確定し、必要がない場合、前記ＵＥのＬＩＰＡ  ＰＤＮ接続を解放しないと確定し、前記ＵＥのＬＩＰＡ  ＰＤＮ接続があり、かつ前記無線側ネットワーク要素がＬＩＰＡ接続解放補助情報を受信しなく、即ちＬＩＰＡ  ＰＤＮ接続を解放する必要があることを暗黙的に指示する場合、前記無線側ネットワーク要素が前記ＵＥのＬＩＰＡ  ＰＤＮ接続を解放すると確定することである。
【００５１】
ステップ４０３において、ＵＥのＬＩＰＡ接続を解放するかどうかを確定する。
【００５２】
前記移動管理エンティティが前記ＵＥのＬＩＰＡ  ＰＤＮ接続を解放する必要があるかどうかを確定することは、前記移動管理エンティティが、ＵＥが前回接続状態にある場合のサービスセルの識別子情報に基づいて、前記ＵＥが現在アクセスしたセルと前回接続状態にある場合のサービスセルが同じセルであるかどうかを判定し、そうであれば、前記ＵＥのＬＩＰＡ  ＰＤＮ接続を解放する必要がないと確定し、そうでなければ、前記ＵＥのＬＩＰＡ  ＰＤＮ接続を解放する必要があると確定し、または、前記移動管理エンティティが、ＵＥが前回接続状態にある場合のサービスセルの識別子情報に基づいて、前記ＵＥが現在アクセスしたセルと前回接続状態にある場合のサービスセルが同じ基地局に属するかどうかを判定し、そうであれば、前記ＵＥのＬＩＰＡ  ＰＤＮを解放する必要がないと確定し、そうでなければ、前記ＵＥのＬＩＰＡ  ＰＤＮ接続を解放する必要があると確定することを含む。
【００５３】
前記移動管理エンティティがＬＩＰＡ接続解放補助情報に基づいてＬＩＰＡ接続解放検査を実行した後、
前記移動管理エンティティが前記ＵＥのＬＩＰＡ  ＰＤＮ接続を解放すると確定した場合、ＰＤＮ接続削除プロセスを開始して前記ＵＥのＬＩＰＡ  ＰＤＮ接続を解放することをさらに含む。
【００５４】
前記無線側ネットワーク要素がＬＩＰＡ接続解放補助情報に基づいてＬＩＰＡ接続解放検査を実行した後、前記無線側ネットワーク要素が前記ＵＥのＬＩＰＡ  ＰＤＮ接続を解放すると確定した場合、前記ＵＥのＬＩＰＡ  ＰＤＮ接続を解放するように接続されたローカルゲートウェイに指示することをさらに含む。
【００５５】
本発明において、前記ＬＩＰＡ接続解放補助情報は、非アクセス層（ＮＡＳ：Ｎｏｎ−Ａｃｃｅｓｓ  Ｓｔｒａｔｕｍ）メッセージにベアリングされて伝送される。
【００５６】
方法の実施形態一
本実施形態においてＵＥがＬＩＰＡ接続を解放する必要があるかどうかを判定してＬＩＰＡ接続解放判定結果をＭＭＥに指示した後、ＭＭＥがＬＩＰＡ接続解放検査を実行する方法が説明される。図５は本発明の実施形態一に係るローカルＩＰアクセス接続を解放する方法のフローチャートである。図５に示すように、本実施形態に係るローカルＩＰアクセス接続を解放する方法は、以下のステップを含む。
【００５７】
ステップ５０１において、ＵＥは、トラッキングエリア更新（ＴＡＵ）またはサービス要求（ｓｅｒｖｉｃｅ  ｒｅｑｕｅｓｔ）のプロセスをトリガして開始する。
【００５８】
ステップ５０２において、ＵＥがＬＩＰＡ接続を解放する必要があるかどうかを判定する場合、ＵＥは、以下のルールに基づいて判定することができる：
１）ＵＥは、現在アクセスしたセルと前回接続状態にある場合のサービスセルのセル識別子（例えば、ＥＣＧＩ）を比較することで、両者が同じセルであるかどうかを判定し、そうであれば、ＬＩＰＡ  ＰＤＮ接続を解放する必要がないと判定し、そうでなければ、ＬＩＰＡ  ＰＤＮ接続を解放する必要があると判定する；
２）ＵＥは、現在アクセスしたセルと前回接続状態にある場合のサービスセルのセル識別子（例えば、Ｅ−ＵＴＲＡＮ：セルグローバル識別子（ＥＣＧＩ：Ｅ−ＵＴＲＡＮ  Ｃｅｌｌ  Ｇｌｏｂａｌ  Ｉｄｅｎｔｉｆｉｅｒ））を比較することで、両者が同じ基地局に属するかどうかを判定し、そうであれば、ＬＩＰＡ  ＰＤＮ接続を解放する必要がないと判定し、そうでなければ、ＬＩＰＡ  ＰＤＮ接続を解放する必要があると判定する。
【００５９】
ステップ５０３において、ＵＥは、ＬＩＰＡ接続解放判定結果をＭＭＥに指示し、当該指示が明示的な指示および暗黙的な指示を含む。ＵＥがＬＩＰＡ  ＰＤＮ接続を解放する必要があると判定した場合、ＬＩＰＡ  ＰＤＮ接続を解放する必要があることを指示するＬＩＰＡ接続解放指示情報をＮＡＳ情報によりＭＭＥに送信し、または、ＬＩＰＡ接続解放指示情報を送信しないことによりＭＭＥに暗黙的に指示する。ＵＥがＬＩＰＡ  ＰＤＮ接続を解放する必要がないと判定した場合、ＬＩＰＡ  ＰＤＮ接続を解放する必要がないことを指示するＬＩＰＡ接続解放指示情報をＮＡＳ情報によりＭＭＥに送信する。
【００６０】
ステップ５０４において、ＭＭＥがＵＥによって指示されたＬＩＰＡ接続解放判定結果に基づいてＬＩＰＡ接続解放検査を行うことは、以下のいくつかの状況がある：
１）当該ＵＥのＬＩＰＡ  ＰＤＮ接続があり、かつＭＭＥにより受信されたＬＩＰＡ接続解放補助情報がＬＩＰＡ接続解放指示情報であり、かつ当該ＬＩＰＡ接続解放指示情報がＬＩＰＡ  ＰＤＮ接続を解放する必要があることを指示する場合、ＭＭＥは、当該ＵＥのＬＩＰＡ  ＰＤＮ接続を解放すると確定する；
２）当該ＵＥのＬＩＰＡ  ＰＤＮ接続があり、かつＭＭＥにより受信されたＬＩＰＡ接続解放補助情報がＬＩＰＡ接続解放指示情報であり、かつ当該ＬＩＰＡ接続解放指示情報がＬＩＰＡ  ＰＤＮ接続を解放する必要がないことを指示する場合、ＭＭＥは、当該ＵＥのＬＩＰＡ  ＰＤＮ接続を解放しないと確定する；
３）当該ＵＥのＬＩＰＡ  ＰＤＮ接続があり、かつＭＭＥがＬＩＰＡ接続解放補助情報を受信しなく、即ちＬＩＰＡ  ＰＤＮ接続を解放する必要があることを暗黙的に指示する場合、ＭＭＥは、当該ＵＥのＬＩＰＡ  ＰＤＮ接続を解放すると確定する。
【００６１】
ステップ５０５において、ＭＭＥが当該ＵＥのＬＩＰＡ  ＰＤＮ接続を解放すると確定した場合、ＰＤＮ接続削除プロセスを開始して当該ＵＥのＬＩＰＡ  ＰＤＮ接続を解放する。
【００６２】
実施形態一に記載される方法を使用する場合、具体的なシーンに対して以下の実施形態でそのメッセージフローをそれぞれ説明する。
【００６３】
実施形態一
当該実施形態においてＭＭＥがＴＡＵ過程においてＬＩＰＡ接続解放検査を実行するプロセスが説明され、図１０に示される。
【００６４】
ステップ１００１において、ＵＥがＴＡＵプロセスをトリガして開始する。例えばＩＤＬＥ状態のＵＥは、その常駐するセルのＴＡＩがＭＭＥによって配置されたＴＡＩ  ｌｉｓｔに存在しなく、またはＴＡＵタイマがタイムアウトになることを検出する。
【００６５】
ステップ１００２において、ＩＤＬＥ状態のＵＥは、まずＭＲＮと同期してＲＲＣ接続を確立し、次にＲＲＣメッセージにＮＡＳ情報であるＴＡＵ要求をＭＲＮに含む必要がある。当該ＲＲＣメッセージは、ＲＲＣ確立完了メッセージまたは上りリンク情報伝送メッセージである。ＵＥは、当該メッセージを送信する前に、まずＬＩＰＡ  ＰＤＮ接続を解放する必要があるかどうかを判定する必要があって、具体的な判定基準が上記のステップ５０２の説明を参照してください。ＵＥは、判定した後にＬＩＰＡ接続解放判定結果をＭＭＥに指示する。具体的には、ＬＩＰＡ接続解放指示情報は、ＮＡＳメッセージに含まれてよく、ＮＡＳメッセージに含まれなくてもよい。
【００６６】
ステップ１００３において、ＭＲＮは、受信されたＲＲＣメッセージにおけるＭＭＥ識別子情報と選択されたＰＬＭＮに基づいてＭＭＥ（ｎｅｗ  ＭＭＥと略称される）を確定し、その後受信されたＮＡＳ情報ＴＡＵ要求をＳ１インターフェースメッセージによりｎｅｗ  ＭＭＥに送信し、ＭＲＮが受信されたＬＩＰＡ接続解放指示情報を当該Ｓ１インターフェースメッセージにより当該ＭＭＥに送信する。具体的には、ＬＩＰＡ接続解放指示情報は、ＮＡＳ情報に含まれてよく、ＮＡＳ情報に含まれなくてもよい。ＤｅＮＢのＳ１プロキシー機能によって、当該Ｓ１インターフェースメッセージは、まずＤｅＮＢを経由してＭＭＥに到達する必要がある。当該Ｓ１インターフェースメッセージは、初期ユーザメッセージ、または上りリンクＮＡＳ伝送メッセージであってよい。
【００６７】
ステップ１００４において、Ｎｅｗ  ＭＭＥは、ＵＥから受信されたグローバル一意一時識別子（ＧＵＴＩ：Ｇｌｏｂａｌｌｙ  Ｕｎｉｑｕｅ  Ｔｅｍｐｏｒａｒｙ）に基づいてｏｌｄ  ＭＭＥアドレスを得て、コンテキスト要求メッセージをｏｌｄ  ＭＭＥに送信して当該ＵＥのユーザ情報を取得する。ｎｅｗ  ＭＭＥは、ＬＩＰＡ接続解放指示情報を受信した場合、当該コンテキスト要求メッセージによりそれをｏｌｄ  ＭＭＥに送信する。
【００６８】
ステップ１００５において、ｏｌｄ  ＭＭＥは、ＬＩＰＡ接続解放検査を行う。詳細については、ステップ５０４の説明を参照してください。
【００６９】
ステップ１００６において、ｏｌｄ  ＭＭＥは、当該ＵＥのＬＩＰＡ  ＰＤＮ接続を確定した場合、ＰＤＮ接続削除プロセスを開始し、ｏｌｄ  ＭＭＥは、セッション削除要求メッセージをＵＥのＳＧＷに送信して、当該ＬＩＰＡ  ＰＤＮ接続の削除を要求し、当該メッセージに削除すべきＰＤＮ接続を識別するためのＬＢＩが含まれる。
【００７０】
ステップ１００７において、ＳＧＷは、セッション削除要求メッセージをＰＧＷ（ＬＩＰＡ  ＰＤＮ接続に対して、ＰＧＷもＬＧＷである）に送信する。
【００７１】
ステップ１００８において、ＬＧＷは、当該ＬＩＰＡ  ＰＤＮ接続を解放した後にセッション削除応答メッセージをＳＧＷに送信する。
【００７２】
ステップ１００９において、ＳＧＷは、セッション削除応答メッセージをｏｌｄ  ＭＭＥに送信して当該ＬＩＰＡ  ＰＤＮ接続解放完了を確認する。
【００７３】
ステップ１０１０において、ｏｌｄ  ＭＭＥは、コンテキスト応答メッセージをＮｅｗ  ＭＭＥに送信して、それに記憶されたＵＥのコンテキスト情報を伝送する。
【００７４】
ステップ１０１１において、Ｎｅｗ  ＭＭＥは、コンテキスト確認メッセージをｏｌｄ  ＭＭＥに送信する。
【００７５】
ステップ１０１２において、当該実施形態において、ＵＥのＳＧＷが再配置されない場合、Ｎｅｗ  ＭＭＥは、ベアラ変更要求メッセージをＵＥのＳＧＷに送信して、Ｓ１１制御プレーン情報、例えばＧＴＰ−ＣトンネルのＩＰアクセス、ＴＥＩＤなどを更新する。
【００７６】
ステップ１０１３において、ＵＥのＳＧＷは、ベアラ変更応答メッセージをｎｅｗ  ＭＭＥに送信する。
【００７７】
ステップ１０１４において、ＵＥのｎｅｗ  ＭＭＥは、Ｓ１メッセージをＭＲＮに送信し、当該Ｓ１メッセージにＴＡＵ受付ＮＡＳ情報が含まれ、当該Ｓ１メッセージが下りリンクＮＡＳ伝送メッセージまたは初期コンテキスト確立要求メッセージまたはＥ−ＲＡＢ確立要求メッセージであってよい。ＵＥのＴＡＵ要求に「アクティブフラグ（ａｃｔｉｖｅ  ｆｌａｇ）」が設定された場合、ＭＭＥは、この時に、ＵＥのためにベアラ確立を行う。ＤｅＮＢのＳ１プロキシー機能によって、当該Ｓ１メッセージは、まずＤｅＮＢを経由して次にＭＲＮに送信される。
【００７８】
ステップ１０１５において、ＭＲＮは、ＴＡＵ受付ＮＡＳ情報をＲＲＣメッセージによりＵＥに送信する。
【００７９】
実施形態二
当該実施形態において、ＭＭＥがサービス要求過程にＬＩＰＡ接続解放検査を実行するプロセスが説明され、図１１に示される。
【００８０】
ステップ１１０１において、ＵＥは、当該ＵＥに対するページングを受信することなどのようなサービスプロセスをトリガして開始する。
【００８１】
ステップ１１０２において、ＵＥは、まずＭＲＮと同期してＲＲＣ接続を確立し、次にＲＲＣメッセージにＮＡＳ情報サービス要求をＭＲＮに含む必要がある。当該ＲＲＣメッセージは、ＲＲＣ確立完了メッセージまたは上りリンク情報伝送メッセージである。ＵＥは、当該メッセージを送信する前に、ＬＩＰＡ  ＰＤＮ接続を解放する必要があるかどうかを判定する必要があって、具体的な判定基準については５０２の説明を参照してください。ＵＥは、判定した後にＬＩＰＡ接続解放判定結果をＭＭＥに指示する。具体的には、ＬＩＰＡ接続解放指示情報は、ＮＡＳ情報に含まれてよく、ＮＡＳメッセージに含まれなくてもよい。
【００８２】
ステップ１１０３において、ＭＲＮは、受信されたＮＡＳ情報サービス要求をＳ１インターフェースメッセージによりＵＥがＲＲＣメッセージに置いて指示するＭＭＥに送信し、ＭＲＮが受信されたＬＩＰＡ接続解放指示情報を当該Ｓ１インターフェースメッセージにより当該ＭＭＥに送信する。具体的には、ＬＩＰＡ接続解放指示情報は、ＮＡＳ情報に含まれてよく、ＮＡＳ情報に含まれなくてもよい。ＤｅＮＢのＳ１プロキシー機能によって、当該Ｓ１インターフェースメッセージは、まずＤｅＮＢを経由して次にＭＭＥに到達する必要がある。当該インターフェースメッセージは、初期ユーザメッセージ、または上りリンクＮＡＳ伝送メッセージであってよい。
【００８３】
ステップ１１０４−１１０８についてはステップ１００５−１００９と同じであるので、ここで説明を省略する。
【００８４】
ステップ１１０９において、ＭＭＥは、初期コンテキスト確立要求をＭＲＮに送信して、ＵＥのベアラ確立プロセスを行う。当該メッセージは、まずＤｅＮＢを経由して次にＭＲＮに送信される。
【００８５】
方法の実施形態二
本実施形態においてＵＥが前回接続状態にある場合のサービスセルの識別子情報をＭＲＮに送信し、ＭＲＮがＬＩＰＡ接続を解放する必要があるかどうかを判定した後、ＬＩＰＡ接続解放判定結果をＭＭＥに指示し、ＭＭＥがＬＩＰＡ接続解放検査を実行する方法が記載されている。図６は本発明の実施形態二に係るローカルＩＰアクセス接続を解放する方法のフローチャートである。図６に示すように、本実施形態のローカルＩＰアクセス接続を解放する方法は、以下のステップを含む。
【００８６】
ステップ６０１において、ＵＥは、トラッキングエリア更新（ＴＡＵ）またはサービス要求（ｓｅｒｖｉｃｅ  ｒｅｑｕｅｓｔ）のプロセスをトリガして開始する。
【００８７】
ステップ６０２において、ＵＥは、前回接続状態にある場合のサービスセルの識別子情報をＭＲＮに送信する。
【００８８】
ステップ６０３において、ＭＲＮは、受信された前回接続状態にある場合のサービスセルの識別子情報に基づいて、ＵＥのＬＩＰＡ  ＰＤＮ接続を解放する必要があるかどうかを判定し、ＭＲＮは、以下の基準に基づいて判定することができる：
１）ＭＲＮは、ＵＥが現在アクセスしたセルとそれが前回接続状態にある場合のサービスセルのセル識別子（例えば、ＥＣＧＩ）を比較することで、両者が同じセルであるかどうかを判定し、そうであれば、ＬＩＰＡ  ＰＤＮ接続を解放する必要がないと判定し、そうでなければ、ＬＩＰＡ  ＰＤＮ接続を解放する必要があると判定する；
２）ＭＲＮは、ＵＥが現在アクセスしたセルとそれが前回接続状態にある場合のサービスセルのセル識別子（例えば、ＥＣＧＩ）を比較することで、両者が同じ基地局に属するかどうかを判定し、そうであれば、ＬＩＰＡ  ＰＤＮ接続を解放する必要がないと判定し、そうでなければ、ＬＩＰＡ  ＰＤＮ接続を解放する必要があると判定する。
【００８９】
ステップ６０４において、ＭＲＮは、ＬＩＰＡ接続解放判定結果をＭＭＥに指示し、当該指示が明示的な指示と暗黙的な指示を含む。ＭＲＮは、ＬＩＰＡ  ＰＤＮ接続を解放する必要があると判定した場合、ＬＩＰＡ  ＰＤＮ接続を解放する必要があることを指示するＬＩＰＡ接続解放指示情報をＭＭＥに送信し、またはＬＩＰＡ接続解放指示情報を送信しないことによりＭＭＥに暗黙的に指示する。ＭＲＮは、ＬＩＰＡ  ＰＤＮ接続を解放する必要がないと判定した場合、ＬＩＰＡ  ＰＤＮ接続を解放する必要がないことを指示するＬＩＰＡ接続解放指示情報をＭＭＥに送信する。
【００９０】
ステップ６０５において、ＭＭＥは、ＭＲＮによって指示されたＬＩＰＡ接続解放判定結果に基づいてＬＩＰＡ接続解放検査を行い、以下のいくつかの状況がある：
１）当該ＵＥのＬＩＰＡ  ＰＤＮ接続があり、かつＭＭＥにより受信されたＬＩＰＡ接続解放補助情報がＬＩＰＡ接続解放指示情報であり、かつ当該ＬＩＰＡ接続解放指示情報が、ＬＩＰＡ  ＰＤＮ接続を解放する必要があることを指示する場合、ＭＭＥは、当該ＵＥのＬＩＰＡ  ＰＤＮ接続を解放すると確定する；
２）当該ＵＥのＬＩＰＡ  ＰＤＮ接続があり、かつＭＭＥにより受信されたＬＩＰＡ接続解放補助情報がＬＩＰＡ接続解放指示情報であり、かつ当該ＬＩＰＡ接続解放指示情報がＬＩＰＡ  ＰＤＮ接続を解放する必要がないことを指示する場合、ＭＭＥは、当該ＵＥのＬＩＰＡ  ＰＤＮ接続を解放しないと確定する；
３）当該のＬＩＰＡ  ＰＤＮ接続があり、かつＭＭＥがＬＩＰＡ接続解放補助情報を受信しなく、即ちＬＩＰＡ  ＰＤＮ接続を解放する必要があることを暗黙的に指示する場合、ＭＭＥは、当該ＵＥのＬＩＰＡ  ＰＤＮ接続を解放すると確定する。
ステップ６０６において、ＭＭＥは、当該ＵＥのＬＩＰＡ  ＰＤＮ接続を解放すると確定した場合、ＰＤＮ接続削除プロセスを開始して当該ＵＥのＬＩＰＡ  ＰＤＮ接続を解放する。
【００９１】
実施形態二に記載される方法を用いる場合、具体的なシーンに対して以下の実施形態でそれぞれそのメッセージフローを説明する。
【００９２】
実施形態三
実施形態三においてＭＭＥがＴＡＵ過程にＬＩＰＡ接続解放検査を実行するプロセスが説明され、図１０に示される。
【００９３】
実施形態一と比較して、違いは、当該実施形態においてＵＥがＬＩＰＡ  ＰＤＮ接続を解放する必要があるかどうかを判定する必要がないが、ＭＲＮが当該判定を行うことにある。具体的な違いは、次の通りである。
１）ステップ１００２におけるＲＲＣメッセージに、ＵＥが前回接続状態にある場合のサービスセルの識別子情報が含まれている。
２）ステップ１００３においてＭＲＮは、ＮＡＳ情報を送信する前に、まず当該ＵＥのＬＩＰＡ  ＰＤＮ接続を解放する必要があるかどうかを判定し、次に判定結果をＭＭＥに指示する。詳細についてはステップ５０３の説明を参照してください。
【００９４】
実施形態四
実施形態四においてＭＭＥがサービス要求過程にＬＩＰＡ接続解放検査を実行するプロセスが説明され、図１１に示される。
【００９５】
実施形態二と比較して、違いは、当該実施形態においてＵＥがＬＩＰＡ接続を解放する必要があるかどうかを判定する必要がないが、ＭＲＮが当該判定を行うことにある。具合的な違いは、実施形態三に記載されたものと類似し、次の通りである。
１）ステップ１１０２のＲＲＣメッセージに、ＵＥが前回接続状態にある場合のサービスセル識別子情報が含まれている。
２）ステップ１１０３においてＭＲＮは、ＮＡＳ情報を送信する前に、まず当該ＵＥのＬＩＰＡ  ＰＤＮ接続を解放する必要があるかどうかを判定し、次に判定結果をＭＭＥに指示する。詳細についてはステップ５０３の説明を参照してください。
【００９６】
方法の実施形態三
本実施形態においてＵＥが前回接続状態にある場合のサービスセルの識別子情報をＭＭＥに送信し、ＭＭＥがＬＩＰＡ接続解放検査を実行する方法が記載される。図７は本発明の実施形態三に係るローカルＩＰアクセス接続を解放する方法のフローチャートである。図７に示すように、本実施形態に係るローカルＩＰアクセス接続を解放する方法は、以下のステップを含む。
【００９７】
ステップ７０１において、ＵＥは、トラッキングエリア更新（ＴＡＵ）またはサービス要求（ｓｅｒｖｉｃｅ  ｒｅｑｕｅｓｔ）のプロセスをトリガして開始する。
【００９８】
ステップ７０２において、ＵＥは、前回接続状態にある場合のサービスセルの識別子情報をＭＭＥに送信する。
【００９９】
ステップ７０３において、当該ＵＥのＬＩＰＡ  ＰＤＮ接続がある場合、ＭＭＥは、まず受信された前回接続状態にある場合のサービスセルの識別子情報に基づいて、ＵＥのＬＩＰＡ  ＰＤＮ接続を解放する必要があるかどうかを判定し、ＭＭＥは、以下の基準に基づいて判定することができる：
１）ＭＭＥは、ＵＥが現在アクセスしたセルとそれが前回接続状態にある場合のサービスセルのセル識別子（例えば、ＥＣＧＩ）を比較することで、両者が同じセルであるかどうかを判定し、そうであれば、ＬＩＰＡ  ＰＤＮ接続を解放する必要がないと判定し、そうでなければ、ＬＩＰＡ  ＰＤＮ接続を解放する必要があると判定する；
２）ＭＭＥは、ＵＥが現在アクセスしたセルとそれが前回接続状態にある場合のサービスセルのセル識別子（例えば、ＥＣＧＩ）を比較することで、両者が同じ基地局に属するかどうかを判定し、そうであれば、ＬＩＰＡ  ＰＤＮ接続を解放する必要がないと判定し、そうでなければ、ＬＩＰＡ  ＰＤＮ接続を解放する必要があると判定する。
【０１００】
その後、ＭＭＥは、前記ＬＩＰＡ接続解放判定結果に基づいてＬＩＰＡ接続解放検査を実行し、以下の２つの状況がある：
１）ＭＭＥは、当該ＵＥのＬＩＰＡ  ＰＤＮ接続を解放する必要があると判定した場合、当該ＵＥのＬＩＰＡ  ＰＤＮ接続を解放すると確定する；
２）ＭＭＥは、当該ＵＥのＬＩＰＡ  ＰＤＮ接続を解放する必要がないと判定した場合、当該ＵＥのＬＩＰＡ  ＰＤＮ接続を解放しないと確定する。
ステップ７０４において、ＭＭＥは、当該ＵＥのＬＩＰＡ  ＰＤＮ接続を解放すると確定した場合、ＰＤＮ接続削除プロセスを開始して当該ＵＥのＬＩＰＡ  ＰＤＮ接続を解放する。
【０１０１】
実施形態三に記載される方法を使用する場合、具体的なシーンに対して以下の実施形態でそれぞれそのメッセージフローを説明する。
【０１０２】
実施形態五
実施形態五においてＭＭＥがＴＡＵ過程にＬＩＰＡ接続解放検査を実行するプロセスが記載されて、図１０に示される。
【０１０３】
実施形態一と比較して、違いは、当該実施形態においてＵＥがＬＩＰＡ  ＰＤＮ接続を解放する必要があるかどうかを判定する必要がないが、ＭＭＥが当該判定を行うことにある。具体的な違いは、次の通りである。
１）ステップ１００２のＲＲＣメッセージに、ＵＥが前回接続状態にある場合のサービスセルの識別子情報が含まれている。
２）ステップ１００３のインターフェースメッセージに、ＵＥが前回接続状態にある場合のサービスセルの識別子情報が含まれている。
３）ステップ１００４のコンテキスト要求メッセージに、ＵＥが前回接続状態にある場合のサービスセルの識別子情報が含まれている。
４）ｏｌｄＭＭＥは、ＬＩＰＡ接続解放検査を行う場合、まずＵＥが前回接続状態にある場合のサービスセルの識別子情報に基づいて、当該ＵＥのＬＩＰＡ  ＰＤＮ接続を解放する必要があるかどうかを判定する。詳細についてはステップ７０３の説明を参照してください。
【０１０４】
実施形態六
実施形態六においてＭＭＥがサービス要求過程にＬＩＰＡ接続解放検査を実行するプロセスが説明され、図１１に示される。
【０１０５】
実施形態二と比較して、違いは、当該実施形態においてＵＥがＬＩＰＡ  ＰＤＮ接続を解放する必要があるかどうかを判定する必要がないが、ＭＭＥが当該判定を行うことにある。具体的な違いは、次の通りである。
１）ステップ１１０２のＲＲＣメッセージに、ＵＥが前回接続状態にある場合のサービスセルの識別子情報が含まれている。
２）ステップ１１０３のＳ１インターフェースメッセージに、ＵＥが前回接続状態にある場合のサービスセルの識別子情報が含まれている。
３）ＭＭＥは、ＬＩＰＡ接続解放検査を行う場合、まずＵＥが前回接続状態にある場合のサービスセルの識別子情報に基づいて、当該ＵＥのＬＩＰＡ  ＰＤＮ接続を解放する必要があるかどうかを判定する必要がある。詳細についてはステップ６０３の説明を参照してください。
【０１０６】
方法の実施形態四
本実施形態においてＵＥが前回接続状態にある場合のサービスセルの識別子情報をＭＭＥに送信し、ＭＭＥがベアラ確立を行う場合にそれをＭＲＮに送信し、ＭＲＮがＬＩＰＡ接続解放検査を実行する方法が記載れている。図８は本発明の実施形態四に係るローカルＩＰアクセス接続を解放する方法のフローチャートである。図８に示すように、本実施形態に係るローカルＩＰアクセス接続を解放する方法は、以下のステップを含む。
【０１０７】
ステップ８０１において、ＵＥは、トラッキングエリア更新（ＴＡＵ）またはサービス要求（ｓｅｒｖｉｃｅ  ｒｅｑｕｅｓｔ）のプロセスをトリガして開始する。
【０１０８】
ステップ８０２において、ＵＥは、ＬＩＰＡ接続を解放する必要があるかどうかを判定する場合、ＵＥは、以下の基準に基づいて判定することができる：
１）ＵＥは、現在アクセスしたセルと前回接続状態にある場合のサービスセルのセル識別子（例えば、ＥＣＧＩ）を比較することで、両者が同じセルであるかどうかを判定し、そうであれば、ＬＩＰＡ  ＰＤＮ接続を解放する必要がないと判定し、そうでなければ、ＬＩＰＡ  ＰＤＮ接続を解放する必要があると判定する；
２）ＵＥは、現在アクセスしたセルと前回接続状態にある場合のサービスセルのセル識別子（例えば、ＥＣＧＩ）を比較することで、両者が同じ基地局に属するかどうかを判定し、そうであれば、ＬＩＰＡ  ＰＤＮ接続を解放する必要がないと判定し、そうでなければ、ＬＩＰＡ  ＰＤＮ接続を解放する必要があると判定する。
【０１０９】
ステップ８０３において、ＵＥは、ＬＩＰＡ接続解放判定結果をＭＭＥに指示し、当該指示が明示的な指示および暗黙的な指示を含む。ＵＥは、ＬＩＰＡ  ＰＤＮ接続を解放する必要があると判定した場合、ＬＩＰＡ  ＰＤＮ接続を解放する必要があることを指示するＬＩＰＡ接続解放指示情報をＮＡＳ情報によりＭＭＥに指示し、またはＬＩＰＡ接続解放指示情報を送信しないことによりＭＭＥに暗黙的に指示する。ＵＥは、ＬＩＰＡ  ＰＤＮ接続を解放する必要がないと判定した場合、ＬＩＰＡ  ＰＤＮ接続を解放する必要がないことを指示するＬＩＰＡ  ＰＤＮ接続解放指示情報をＭＭＥに指示する。
【０１１０】
ステップ８０４において、ＭＭＥは、その後当該ＵＥのベアラ確立プロセスを開始する場合、ベアラ確立プロセスにＵＥによって指示されたＬＩＰＡ  接続解放判定結果をＭＲＮに指示し、当該指示が同様に明示的な指示および暗黙的な指示を含む。
【０１１１】
ステップ８０５において、当該ＵＥのＬＩＰＡ接続がある場合、ＭＲＮは、まず受信されたＵＥが前回接続状態にある場合のサービスセルの識別子情報に基づいて、ＵＥのＬＩＰＡ接続を解放する必要があるかどうかを判定し、ＭＲＮは、以下の基準に基づいて判定することができる：
１）ＭＲＮは、ＵＥが現在アクセスしたセルとそれが前回接続状態にある場合のサービスセルのセル識別子（例えば、ＥＣＧＩ）を比較することで、両者が同じセルであるかどうかを判定し、そうであれば、ＬＩＰＡ  ＰＤＮ接続を解放する必要がないと判定し、そうでなければ、ＬＩＰＡ  ＰＤＮ接続を解放する必要があると判定する；
２）ＭＲＮは、ＵＥが現在アクセスしたセルとそれが前回接続状態にある場合のサービスセルのセル識別子（例えば、ＥＣＧＩ）を比較することで、両者が同じ基地局に属するかどうかを判定し、そうであれば、ＬＩＰＡ  ＰＤＮ接続を解放する必要がないと判定し、そうでなければ、ＬＩＰＡ  ＰＤＮ接続を解放する必要があると判定する。
【０１１２】
その後、ＭＲＮは、前記ＬＩＰＡ  ＰＤＮ接続解放判定結果に基づいてＬＩＰＡ  ＰＤＮ接続解放検査を実行し、以下のいくつかの状況がある：
１）当該ＵＥのＬＩＰＡ  ＰＤＮ接続があり、かつＭＭＥが当該ＵＥのＬＩＰＡ  ＰＤＮ接続を解放する必要があると判定した場合、ＭＲＮは、当該ＵＥのＬＩＰＡ  ＰＤＮ接続を確定する；
２）当該ＵＥのＬＩＰＡ  ＰＤＮ接続があり、かつＭＭＥが当該ＵＥのＬＩＰＡ  ＰＤＮ接続を解放する必要がないと判定した場合、ＭＲＮは、当該ＵＥのＬＩＰＡ  ＰＤＮ接続を解放しないと確定する。
【０１１３】
ステップ８０５において、ＭＲＮは、当該ＵＥのＬＩＰＡ  ＰＤＮ接続を解放すると確定した場合、前記ＵＥのＬＩＰＡ  ＰＤＮ接続を解放するように接続されたローカルゲートウェイに指示する。
【０１１４】
実施形態四に記載される方法を使用する場合、具体的なシーンに対して以下の実施形態でそれぞれそのメッセージフローを説明する。
【０１１５】
実施形態七
当該実施形態においてＭＲＮがＴＡＵ過程にＬＩＰＡ接続解放検査を実行するプロセスが説明され、図１２に示される。
【０１１６】
ステップ１２０１において、ＵＥは、ＩＤＬＥ  ＵＥが、その常駐するセルのＴＡＩがＭＭＥによって配置されたＴＡ  ｌｉｓｔに存在しなく、またはＴＡＵタイマがタイムアウトになることを検出するようなＴＡＵプロセスをトリガして開始する。
【０１１７】
ステップ１２０２において、ＩＤＬＥ状態のＵＥは、まずＭＲＮと同期してＲＲＣ接続を確立し、次にＲＲＣメッセージにＮＡＳ情報ＴＡＵ要求をＭＲＮに含む必要がある。当該ＲＲＣメッセージは、ＲＲＣ確立完了メッセージまたは上りリンク情報伝送メッセージである。ＵＥは、ＵＥが前回接続状態にある場合のサービスセルの識別子情報をＭＭＥに送信する必要がある。具体的には、当該ＵＥが前回接続状態にある場合のサービスセルの識別子情報は、ＮＡＳ情報に含まれてよく、ＮＡＳ情報に含まれなくてもよい。
【０１１８】
ステップ１２０３において、ＭＲＮは、受信されたＲＲＣメッセージにおけるＭＭＥ識別情報と選択されたＰＬＭＮに基づいてＭＭＥ（ｎｅｗ  ＭＭＥと呼ばれる）を確定し、その後受信されたＮＡＳ情報ＴＡＵ要求をＳ１インターフェースメッセージによりｎｅｗ  ＭＭＥに送信し、受信されたＵＥが前回接続状態にある場合のサービスセル識別子情報を当該Ｓ１インターフェースメッセージにより当該ＭＭＥに送信する。具体的には、ＵＥが前回接続状態にある場合のサービスセルの識別子情報は、ＮＡＳ情報に含まれてよく、ＮＡＳ情報に含まれなくてもよい。ＤｅＮＢのＳ１プロキシー機能によって、当該Ｓ１インターフェースメッセージは、まずＤｅＮＢを経由して次にＭＭＥに到達する必要がある。当該Ｓ１インターフェースメッセージは、初期ユーザメッセージ、または上りリンクＮＡＳ伝送メッセージであってよい。
【０１１９】
ステップ１２０４において、Ｎｅｗ  ＭＭＥは、ＵＥから受信されたＧＵＴＩからｏｌｄ  ＭＭＥのアドレスを得て、そしてコンテキスト要求メッセージをｏｌｄＭＭＥに送信して当該ＵＥのユーザ情報を取得する。
【０１２０】
ステップ１２０５において、ｏｌｄ  ＭＭＥは、コンテキスト応答メッセージをｎｅｗ  ＭＭＥに送信して、それに記憶されたＵＥのコンテキストを伝送する。
【０１２１】
ステップ１２０６において、Ｎｅｗ  ＭＭＥは、コンテキスト確認メッセージをｏｌｄ  ＭＭＥに送信する。
【０１２２】
ステップ１２０７において、当該実施形態において、ＵＥのＳＧＷが再配置されない場合、ｎｅｗ  ＭＭＥは、ベアラ変更要求メッセージをＵＥのＳＧＷに送信して、例えばＧＴＰ−ＣトンネルのＩＰアドレス、ＴＥＩＤなどのＳ１１制御プレーン情報を更新する。
【０１２３】
ステップ１２０８において、ＵＥのＳＧＷは、ベアラ変更応答メッセージをｎｅｗ  ＭＭＥに送信する。
【０１２４】
ステップ１２０９において、ＵＥのｎｅｗ  ＭＭＥは、Ｓ１メッセージをＭＲＮに送信し、当該Ｓ１メッセージにＴＡＵ受付ＮＡＳ情報が含まれ、当該Ｓ１メッセージが下りリンクＮＡＳ伝送メッセージまたは初期コンテキスト確立要求メッセージまたはＥ−ＲＡＢ確立請求メッセージであってよい。ＵＥがＴＡＵ要求に「アクティブフラグ（ａｃｔｉｖｅ  ｆｌａｇ）」を設定した場合、ＭＭＥは、この時に、ＵＥのためにベアラ確立を行い、ｎｅｗ  ＭＭＥは、ベアラ確立過程にＵＥが前回接続状態にある場合のサービスセルの識別子情報をＭＲＮに送信する。ＤｅＮＢのＳ１プロキシー機能によって、当該Ｓ１メッセージは、まずＤｅＮＢを経由して次にＭＲＮに送信される。
【０１２５】
ステップ１２１０において、ＭＲＮは、初期コンテキスト確立要求メッセージまたはＥ−ＲＡＢ確立要求メッセージを受信した後に、当該メッセージにおけるＵＥが前回接続状態にある場合のサービスセル識別子情報に基づいて、ＬＩＰＡ接続解放検査を行い、詳細についてはステップ８０５の説明を参照してください。
【０１２６】
ステップ１２１１において、ＭＲＮは、当該ＵＥのＬＩＰＡ  ＰＤＮ接続を解放すると確定した場合、前記ＵＥのＬＩＰＡ  ＰＤＮ接続を解放するように接続されたローカルゲートウェイに指示する。例えば、ＬＧＷは、ベアラ非活性化プロセスを開始できる。
【０１２７】
ステップ１２１２において、ＭＲＮは、ＴＡＵ受付ＮＡＳ情報をＲＲＣメッセージによりＵＥに送信する。
【０１２８】
実施形態八
当該実施形態においてＭＲＮがサービス要求過程にＬＩＰＡ接続解放検査を実行するプロセスが説明され、図１３に示される。
【０１２９】
ステップ１３０１において、ＵＥは、当該ＵＥに対するページングを受信することなどのサービスプロセスをトリガして開始する。
【０１３０】
ステップ１３０２において、ＵＥは、まずＭＲＮと同期してＲＲＣ接続を確立し、次にＲＲＣメッセージにＮＡＳ情報サービス要求をＭＲＮに含む必要がある。当該ＲＲＣメッセージは、ＲＲＣ確立完了メッセージまたは上りリンク情報伝送メッセージである。ＵＥは、ＵＥが前回接続状態にあるサービスセルの識別子情報をＭＭＥに送信する必要がある。具体的には、当該情報は、ＮＡＳ情報に含まれて良く、ＮＡＳ情報に含まれなくてもよい。
【０１３１】
ステップ１３０３において、ＭＲＮは、受信されたＮＡＳ情報サービス要求をＳ１インターフェースメッセージによりＵＥがＲＲＣメッセージにおいて指示するＭＭＥに送信し、ＭＲＮは、受信されたＵＥが前回接続状態にある場合のサービスセルの識別子情報を当該Ｓ１インターフェースメッセージにより当該ＭＭＥに送信する。具体的には、当該情報は、ＮＡＳ情報に含まれて良く、ＮＡＳ情報に含まれなくてもよい。ＤｅＮＢのＳ１プロキシー機能によって、当該Ｓ１インターフェースメッセージは、まずＤｅＮＢを経由して次にＭＲＮに送信する必要がある。当該Ｓ１インターフェースメッセージは、初期ユーザ情報、または上りリンクＮＡＳ伝送メッセージであってよい。
【０１３２】
ステップ１３０４において、ＭＭＥは、Ｓ１インターフェース初期コンテキスト確立要求メッセージをＭＲＮに送信して、ＵＥのために対応するベアラを確立する。当該Ｓ１インターフェースメッセージには、ＵＥが前回接続状態にある場合のサービスセルの識別子情報が含まれる。ＤｅＮＢのＳ１プロキシー機能によって、当該メッセージは、まずＤｅＮＢを経由して次にＭＲＮに送信される。
【０１３３】
ステップ１３０５において、ＭＲＮは、初期コンテキスト確立要求メッセージを受信した後に、当該メッセージにおけるＵＥが前回接続状態にある場合のサービスセルの識別子情報に基づいて、ＬＩＰＡ接続解放検査を行い、詳細についてはステップ８０５の説明を参照してください。
【０１３４】
ステップ１３０６において、ＭＲＮは、当該ＵＥのＬＩＰＡ  ＰＤＮ接続を解放すると確定した場合、前記ＵＥのＬＩＰＡ  ＰＤＮ接続を解放するように接続されたローカルゲートウェイに指示する。例えば、ＬＧＷは、ベアラ非活性化プロセスを開始できる。
【０１３５】
方法の実施形態五
本実施形態において、ＵＥがＬＩＰＡ接続を解放する必要があるかどうかを判定し、その後ＬＩＰＡ接続解放判定結果をＭＭＥに指示し、ＭＭＥがベアラ確立時にそれをＭＲＮに送信し、ＭＲＮがＬＩＰＡ接続解放検査を実行する方法が記載される。図９は本発明の実施形態五に係るローカルＩＰアクセス接続を解放する方法のフローチャートである。図９に示すように、本実施形態に係るローカルＩＰアクセス接続を解放する方法は、以下のステップを含む。
【０１３６】
ステップ９０１において、ＵＥは、トラッキングエリア更新（ＴＡＵ）またはサービス要求（ｓｅｒｖｉｃｅ  ｒｅｑｕｅｓｔ）のプロセスをトリガして開始する。
【０１３７】
ステップ９０２において、ＵＥは、前回接続状態にある場合のサービスセルの識別子情報をＭＲＮに送信する。
【０１３８】
ステップ９０３において、ＭＲＮは、その後ＵＥのベアラ確立プロセスを開始する場合、ベアラ確立過程に、その受信されたＵＥが前回接続状態にある場合のサービスセルの識別子情報をＭＲＮに送信する。
【０１３９】
ステップ９０４において、ＭＲＮは、ＭＭＥによって指示されたＬＩＰＡ接続解放判定結果に基づいてＬＩＰＡ接続解放検査を行い、以下のいくつかの状況がある：
１）当該ＵＥのＬＩＰＡ  ＰＤＮ接続があり、かつＭＭＥに受信されたＬＩＰＡ接続解放補助情報がＬＩＰＡ接続解放指示情報であり、かつ当該ＬＩＰＡ接続解放指示情報がＬＩＰＡ  ＰＤＮ接続を解放する必要があることを指示する場合、ＭＭＥは、当該ＵＥのＬＩＰＡ  ＰＤＮ接続を解放すると確定する；
２）当該ＵＥのＬＩＰＡ  ＰＤＮ接続があり、かつＭＭＥに受信されたＬＩＰＡ接続解放補助情報がＬＩＰＡ接続解放指示情報であり、かつ当該ＬＩＰＡ接続解放指示情報がＬＩＰＡ  ＰＤＮ接続を解放する必要がないことを指示する場合、ＭＭＥは、当該ＵＥのＬＩＰＡ  ＰＤＮ接続を解放しないと確定する；
３）当該ＵＥのＬＩＰＡ  ＰＤＮ接続があり、かつＭＭＥがＩＰＡ接続解放補助情報を受信しなく、即ちＬＩＰＡ  ＰＤＮ接続を解放する必要があることを暗黙的に指示する場合、ＭＲＮは、当該ＵＥのＬＩＰＡ  ＰＤＮ接続を確定する。
【０１４０】
ステップ９０５において、ＭＲＮは、当該ＵＥのＬＩＰＡ  ＰＤＮ接続を解放すると確定した場合、前記ＵＥのＬＩＰＡ  ＰＤＮ接続を解放するように接続されたローカルゲートウェイに指示する。
【０１４１】
方法の実施形態五に記載される方法を使用する場合、具体的なシーンに対して以下の実施形態でそれぞれそのメッセージフローを説明する。
【０１４２】
実施形態九
実施形態九においてＭＭＥがＴＡＵ過程においてＬＩＰＡ接続解放検査を実行するプロセスが説明され、図１２に示される。
【０１４３】
実施形態七と比較して、違いは、当該実施形態においてＵＥがＬＩＰＡ  ＰＤＮ接続を解放する必要があるかどうかを判定する必要があるが、ＭＲＮが当該判定を行う必要がないことにある。具体的な違いは、次の通りである。
１）ステップ１２０２においてＵＥは、ＴＡＵ要求を送信する前に、まずＵＥのＬＩＰＡ  ＰＤＮ接続を解放する必要があるかどうかを判定し、そして判定結果をＭＭＥに指示する。
２）１２０３においてＭＲＮは、ＬＩＰＡ解放指示情報をＳ１インターフェースメッセージによりＭＭＥに送信する。
３）ステップ１２０４におけるコンテキスト要求メッセージに、ＬＩＰＡ解放指示情報が含まれている。
４）ステップ１２０９における初期コンテキスト確立要求メッセージに、ＬＩＰＡ解放指示情報が含まれている。
５）ステップ１２１０においてＭＲＮは、ＵＥのＬＩＰＡ解放判定結果に基づいてＬＩＰＡ接続解放検査を行い、詳細についてはステップ９０４の説明を参照してください。
【０１４４】
実施形態十
実施形態十においてＭＲＮがサービス要求過程にＬＩＰＡ接続解放検査を実行するプロセスが説明され、図１３に示される。
【０１４５】
実施形態八と比較して、違いは、当該実施形態においてＵＥがＬＩＰＡ  ＰＤＮ接続を解放する必要があるかどうかを判定する必要があるが、ＭＭＥが当該判定を行う必要がないことにある。具体的な違いは、次の通りである。
１）ステップ１３０２においてＵＥは、サービス要求を送信する前に、まずＵＥのＬＩＰＡ  ＰＤＮ接続を解放する必要があるかどうかを判定し、そして判定結果をＭＭＥに指示する。
２）ステップ１３０３においてＭＲＮは、ＬＩＰＡ解放指示情報をＳ１インターフェースメッセージによりＭＭＥに送信する。
３）ステップ１３０４における初期コンテキスト確立要求メッセージに、ＬＩＰＡ解放指示情報が含まれている。
４）ステップ１３０５においてＭＲＮは、ＵＥのＬＩＰＡ解放判定結果に基づいてＬＩＰＡ接続解放検査を行う。詳細についてはステップ９０４の説明を参照してください。
【０１４６】
図１４は本発明の実施形態一に係るローカルＩＰアクセス接続を解放する装置の構成構造を示す図である。図１４に示すように、本実施形態に係るローカルＩＰアクセス接続を解放する装置は、受信ユニット１４０１、実行ユニット１４０２、および確定ユニット１４０３を含む。
【０１４７】
受信ユニット１４０１は、ローカルＩＰアクセス（ＬＩＰＡ）接続解放補助情報を受信するように構成され、
実行ユニット１４０２は、前記ローカルＩＰアクセス（ＬＩＰＡ）接続解放補助情報に基づいてＬＩＰＡ接続解放検査を実行するように構成され、
確定ユニット１４０３は、ユーザ装置（ＵＥ）のＬＩＰＡ接続を解放するかどうかを確定するように構成される。
【０１４８】
前記ＬＩＰＡ接続解放補助情報は、
ＬＩＰＡ接続解放指示情報と、
前記ＵＥが前回状態にある場合のサービスセルの識別子情報との少なくとも一つを含む。
【０１４９】
前記受信ユニット１４０１は、さらに、無線側ネットワーク要素から送信された前記ＵＥが前回接続状態にある場合のサービスセルの識別子情報を受信するように構成される。ここで、前記無線側ネットワーク要素は、前記ＵＥから前記ＵＥが前回接続状態にある場合のサービスセルの識別子情報を受信し、そして前記受信ユニットに送信する。
【０１５０】
または、前記受信ユニット１４０１は、さらに、無線側ネットワーク要素から送信されたＬＩＰＡ接続解放指示情報を受信するように構成される。ここで、前記無線側ネットワーク要素は、前記ＵＥから送信された前記ＵＥが前回接続状態にある場合のサービスセルの識別子情報を受信した場合、前記ＵＥが前回接続状態にある場合のサービスセルの識別子情報に基づいて、前記ＵＥのＬＩＰＡ接続を解放する必要があるかどうかを判定し、そして判定結果をＬＩＰＡ接続解放指示情報により前記受信ユニット１４０１に送信する。
【０１５１】
または、前記受信ユニット１４０１は、さらに、前記ＵＥから送信されたＬＩＰＡ接続解放指示情報を受信するように構成される。ここで、前記ＵＥは、自身のＬＩＰＡ接続を解放する必要があるかどうかを判定し、そして判定結果をＬＩＰＡ接続解放指示情報により前記受信ユニット１４０１に送信する。
【０１５２】
前記実行ユニット１４０２は、さらに、トラッキングエリア更新（ＴＡＵ）またはサービス要求の過程においてＬＩＰＡ接続解放補助情報に基づいてＬＩＰＡ接続解放検査を実行するように構成される。
【０１５３】
前記確定ユニット１４０３は、さらに、前記受信ユニット１４０１により受信されたＬＩＰＡ接続解放指示情報が、前記ＵＥが前回接続状態にある場合のサービスセルの識別子情報であると確定した場合、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定するように構成される。
【０１５４】
または、前記確定ユニット１４０３は、さらに、前記受信ユニット１４０１により受信されたＬＩＰＡ接続解放指示情報が、前記ＵＥが前回接続状態にある場合のサービスセルの識別子情報であると確定した場合、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定するように構成される。
【０１５５】
前記確定ユニット１４０３は、前記受信ユニットにより受信されたＬＩＰＡ接続解放指示情報が前記ＵＥのＬＩＰＡ接続を解放することを指示する場合、前記ＵＥのＬＩＰＡ接続を解放する必要があると確定し、前記ＬＩＰＡ接続解放指示情報が前記ＵＥのＬＩＰＡ接続を解放しないことを指示する場合、前記ＵＥのＬＩＰＡ接続を解放する必要がないと確定するように構成される。
【０１５６】
または、前記確定ユニット１４０３は、さらに、前記受信ユニットが設定された時間内にＬＩＰＡ接続解放補助情報を受信しないと確定した場合、前記ＵＥのＬＩＰＡ接続を解放する必要があると確定するように構成される。
【０１５７】
図１４に示すように、本実施形態に係るローカルＩＰアクセス接続を解放する装置は、
前記確定ユニット１４０３が前記ＵＥのＬＩＰＡ接続を解放する必要があると確定した場合、パケットデータネットワークＰＤＮ接続削除プロセスを開始し、前記ＵＥのＬＩＰＡ接続を解放するように構成される解放ユニット１４０４をさらに含む。
【０１５８】
当業者は、前記解放ユニットが本発明に係るローカルＩＰアクセス接続を解放する装置を最適化するために設置されるものであるが、本発明に係るローカルＩＰアクセス接続を解放する装置の基本的な目的を達成するために必要な技術手段ではないと理解すべきである。
【０１５９】
当業者は、図１４に示すローカルＩＰアクセス接続を解放する装置に関連する処理ユニットの機能がハードウェア回路、またはプロセッサによって対応するソフトウェアを実行することで実現されることができると理解すべきである。前記各処理ユニットの機能は、前記ローカルＩＰアクセス接続を解放する方法に関連する実施形態および実施形態の説明を参照して理解されることができると理解すべきである。
【０１６０】
また、本発明において、図１４に示すローカルＩＰアクセス接続を解放する装置を含む移動管理ユニットが説明され、ＭＭＥまたはＳＧＳＮなどであってよい。
【０１６１】
図１５は本発明の実施形態二に係るローカルＩＰアクセス接続を解放する装置の構成構造を示す図である。図１５に示すように、本実施形態に係るローカルＩＰアクセス接続を解放する装置は、受信ユニット１５０１、実行ユニット１５０２、および確定ユニット１５０３を含む。
【０１６２】
受信ユニット１５０１は、ローカルＩＰアクセス接続解放補助情報を受信するように構成され、
実行ユニット１５０２は、前記ローカルＩＰアクセスＬＩＰＡ接続解放補助情報に基づいてＬＩＰＡ接続解放検査を実行するように構成され、
確定ユニット１５０３は、ユーザ装置ＵＥのＬＩＰＡ接続を解放するかどうかを確定するように構成される。
【０１６３】
前記ＬＩＰＡ接続解放補助情報は、
ＬＩＰＡ接続解放指示情報と、
前記ＵＥが前回接続状態にある場合のサービスセルの識別子情報との少なくとも一つを含む。
【０１６４】
前記受信ユニット１５０１は、さらに、移動管理ユニットから送信されたＵＥが前回接続状態にある場合のサービスセルの識別子情報を受信するように構成される。ここで、前記ＵＥは、前記ＵＥが前回接続状態にある場合のサービスセルの識別子情報をＮＡＳ情報により移動管理ユニットに送信する。前記移動管理ユニットは、ベアラ確立実行過程において前記ＵＥが前回接続状態にある場合のサービスセルの識別子情報を前記受信ユニット１５０１に送信する。
【０１６５】
または、前記受信ユニット１５０１は、さらに、前記ＵＥから送信されたＬＩＰＡ接続解放指示情報を受信するように構成される。ここで、前記ＵＥは、自身のＬＩＰＡ接続を解放する必要があるかどうかを確定し、そして判定結果をＬＩＰＡ接続解放指示情報により移動管理ユニットに指示する。前記移動管理ユニットは、ベアラ確立実行過程においてさらに前記判定結果をＬＩＰＡ接続解放指示情報により前記受信ユニット１５０１に送信する。
【０１６６】
前記確定ユニット１５０３は、さらに、前記受信ユニット１５０１により受信された前記ＬＩＰＡ接続解放補助情報がＬＩＰＡ接続解放指示情報であると確定し、前記ＬＩＰＡ接続解放指示情報がＬＩＰＡ接続を解放することを指示する場合、前記ＵＥのＬＩＰＡ接続を解放すると確定し、前記ＬＩＰＡ接続解放指示情報がＬＩＰＡ接続を解放しないことを指示する場合、前記ＵＥのＬＩＰＡ接続を解放しないと確定するように構成される。
【０１６７】
前記確定ユニット５０３は、さらに、前記受信ユニット１５０１により受信された前記ＬＩＰＡ接続解放補助情報が、前記ＵＥが前回接続状態にある場合のサービスセルの識別子情報であると確定した場合、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定するように構成される。
【０１６８】
または、前記確定ユニット１５０３は、さらに、前記受信ユニット１５０１により受信された前記ＬＩＰＡ接続解放補助情報が、前記ＵＥが前回接続状態にある場合のサービスセルの識別子情報であると確定した場合、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定するように構成される。
【０１６９】
前記確定ユニット１５０３は、さらに、前記受信ユニットが設定された時間内にＬＩＰＡ接続解放補助情報を受信しないと確定した場合、前記ＵＥのＬＩＰＡ接続を解放する必要があると確定するように構成される。
【０１７０】
図１５に示すように、本実施形態に係るローカルＩＰアクセス接続を解放する装置は、
前記確定ユニットが前記ＵＥのＬＩＰＡ接続を解放する必要があると確定した場合、前記ＵＥのＬＩＰＡ接続を解放するように接続されたローカルゲートウェイに指示するように構成される解放ユニット１５０４をさらに含む。
【０１７１】
当業者は、前記解放ユニットが本発明に係るローカルＩＰアクセス接続を解放する装置を最適化するために設置されるものであるが、本発明に係るローカルＩＰアクセス接続を解放する装置の基本的な目的を達成するために必要な技術手段ではないと理解すべきである。
【０１７２】
当業者は、図１５に示すローカルＩＰアクセス接続を解放する装置に関連する処理ユニットの機能がハードウェア回路、またはプロセッサによって対応するソフトウェアを実行することで実現されることができると理解すべきである。前記各処理ユニットの機能は、上述したローカルＩＰアクセス接続を解放する方法に関連する実施形態および実施形態の説明を参照して理解されることができると理解すべきである。
【０１７３】
また、本発明において、図１５に示すローカルＩＰアクセス接続を解放する装置を含む無線側ネットワーク要素が記載される。無線側ネットワーク要素は、中継ノード、移動中継ノード、ホーム基地局、ドナーｅＮＢ、ホーム基地局ゲートウェイなどであってもよい。
【０１７４】
明らかに、当業者は、上述した本発明の各処理ユニットまたは各ステップが汎用計算装置で実現されることができ、それが単一の計算装置に集中し、または複数の計算装置からなるネットワークに分布することができ、選択可能に、それが計算装置で実行可能なプログラムコードで実現されることができ、それによって、それらを記憶装置に記憶して計算装置によって実行され、またはそれらをそれぞれ各集積回路モジュールに作成し、またはそれらのうちの複数のモジュールまたはステップを単一の集積回路モジュールに作成して実現することができると理解すべきである。このようにして、本発明は、いかなる特定のハードウェアおよびソフトウェア組み合わせに限定されるものではない。
【０１７５】
上記は、本発明の好ましい実施形態に過ぎなく、本発明の保護範囲を限定することに用いられるものではない。
【産業上の利用可能性】
【０１７６】
本発明において、移動管理ユニットまたは無線側ネットワーク要素は、受信されたＬＩＰＡ接続解放補助情報に基づいてＬＩＰＡ接続解放検査を実行し、ユーザ装置（ＵＥ）のＬＩＰＡ接続を解放するかどうかを確定する。モビリティ管理エンティティは、ＵＥのＬＩＰＡ接続を解放する必要があると確定した場合、ＰＤＮ接続削除プロセスを開始し、ＵＥのＬＩＰＡ接続を解放するが、無線側ネットワーク要素は、ＵＥのＬＩＰＡ接続を解放すると確定した場合、前記ＵＥのＬＩＰＡ接続を解放するように接続されたローカルゲートウェイに直接に指示する。本発明の技術的解決手段によれば、移動中継（ｍｏｂｉｌｅ  ｒｅｌａｙ）がＬＩＰＡをサポートする場合、ＭＲＮの切り替えプロセスにおけるＵＥのＬＩＰＡ接続の連続性を確保し、さらにＵＥのＬＩＰＡサービスの連続性を確保し、ユーザのサービス品質とユーザ体験を向上させる。
【図１】
2016504809.tif 000003
【図２】
2016504809.tif 000004
【図３】
2016504809.tif 000005
【図４】
2016504809.tif 000006
【図５】
2016504809.tif 000007
【図６】
2016504809.tif 000008
【図７】
2016504809.tif 000009
【図８】
2016504809.tif 000010
【図９】
2016504809.tif 000011
【図１０】
2016504809.tif 000012
【図１１】
2016504809.tif 000013
【図１２】
2016504809.tif 000014
【図１３】
2016504809.tif 000015
【図１４】
2016504809.tif 000016
【図１５】
2016504809.tif 000017
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
ローカルＩＰアクセス接続を解放する方法であって、
移動管理ユニットが、受信されたローカルＩＰアクセス（ＬＩＰＡ）接続解放補助情報に基づいてＬＩＰＡ接続解放検査を実行して、ユーザ装置（ＵＥ）のＬＩＰＡ接続を解放するかどうかを確定することを含む、方法。
【請求項２】
前記ＬＩＰＡ接続解放補助情報は、
ＬＩＰＡ接続解放指示情報と、
前記ＵＥが前回接続状態にある場合のサービスセルの識別子情報との少なくとも一つを含むことを特徴とする
請求項１に記載の方法。
【請求項３】
移動管理ユニットがＬＩＰＡ接続解放補助情報を受信することは、
無線側ネットワーク要素が、前記ＵＥから送信された前記ＵＥが前回接続状態にある場合のサービスセルの識別子情報を受信した場合、前記移動管理ユニットに送信すること、
または、無線側ネットワーク要素が、前記ＵＥから送信された前記ＵＥが前回接続状態にある場合のサービスセルの識別子情報を受信した場合、前記ＵＥが前回接続状態にある場合のサービスセルの識別子情報に基づいて、前記ＵＥのＬＩＰＡ接続を解放する必要があるかどうかを判定し、そして判定結果をＬＩＰＡ接続解放指示情報により前記移動管理ユニットに指示すること、
または、前記ＵＥが自身のＬＩＰＡ接続を解放する必要があるかどうかを判定し、そして判定結果をＬＩＰＡ接続解放指示情報により前記移動管理ユニットに指示することを含むことを特徴とする
請求項２に記載の方法。
【請求項４】
前記ＵＥが前回接続状態にある場合のサービスセルの識別子情報に基づいて、前記ＵＥのＬＩＰＡ接続を解放する必要があるかどうかを判定することは、
前記無線側ネットワーク要素が、受信された前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記無線側ネットワーク要素が、受信された前記ＵＥが前回接続状態にあるサービスセルの識別子情報に基づいて、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定することであり、
または、
前記ＵＥが自身のＬＩＰＡ接続を解放する必要があるかどうかを判定することは、
前記ＵＥが、前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記ＵＥが、前記ＵＥが前回接続状態にある場合のサービスセルの識別子情報に基づいて、前記ＵＥが現在アクセスしたセルと前記ＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定することを含むことを特徴とする
請求項３に記載の方法。
【請求項５】
前記移動管理ユニットが、受信されたＬＩＰＡ接続解放補助情報に基づいてＬＩＰＡ接続解放検査を実行することは、
前記移動管理ユニットが、受信された前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記移動管理ユニットが、受信された前記ＵＥが前回接続状態にある場合のサービスセルの識別子情報に基づいて、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記移動管理ユニットが、受信されたＬＩＰＡ接続解放指示情報が前記ＵＥのＬＩＰＡ接続を解放することを指示すると判定した場合、前記ＵＥのＬＩＰＡ接続を解放する必要があると確定し、前記ＬＩＰＡ接続解放指示情報が、前記ＵＥのＬＩＰＡ接続を解放しないことを指示する場合、前記ＵＥのＬＩＰＡ接続を解放する必要がないと確定すること、
または、前記移動管理ユニットが、設定された時間内にＬＩＰＡ接続解放補助情報を受信しない場合、前記ＵＥのＬＩＰＡ接続を解放する必要があると判定することを含むことを特徴とする
請求項２または４に記載の方法。
【請求項６】
ローカルＩＰアクセス接続を解放する方法であって、
無線側ネットワーク要素が、受信されたローカルＩＰアクセス（ＬＩＰＡ）接続解放補助情報に基づいてＬＩＰＡ接続解放検査を実行し、ユーザ装置（ＵＥ）のＬＩＰＡ接続を解放するかどうかを確定することを含む、方法。
【請求項７】
前記ＬＩＰＡ接続解放補助情報は、
ＬＩＰＡ接続解放指示情報と、
前記ＵＥが前回接続状態にある場合のサービスセルの識別子情報との少なくとも一つを含むことを特徴とする
請求項６に記載の方法。
【請求項８】
無線側ネットワーク要素がＬＩＰＡ接続解放補助情報を受信することは、
前記ＵＥが、ＵＥが前回接続状態にある場合のサービスセルの識別子情報をＮＡＳ情報により移動管理ユニットに送信し、前記移動管理ユニットがベアラ確立実行プロセスにおいて前記ＵＥが前回接続状態にある場合のサービスセルの識別子情報を前記無線側ネットワーク要素に送信すること、
または、前記ＵＥが自身のＬＩＰＡ接続を解放する必要があるかどうかを確定し、そして判定結果をＬＩＰＡ接続解放指示情報により移動管理ユニットに指示し、前記移動管理ユニットがベアラ確立実行プロセスにおいて前記判定結果をさらにＬＩＰＡ接続解放指示情報により前記無線側ネットワーク要素に指示することであり、
または、
前記無線側ネットワーク要素が、受信されたＬＩＰＡ接続解放補助情報に基づいてＬＩＰＡ接続解放検査を実行することは、
前記無線側ネットワーク要素が、受信されたＬＩＰＡ接続解放補助情報がＬＩＰＡ接続解放指示情報であると確定し、前記ＬＩＰＡ接続解放指示情報がＬＩＰＡ接続を解放することを指示する場合は、前記無線側ネットワーク要素が前記ＵＥのＬＩＰＡ接続を解放すると確定し、前記ＬＩＰＡ接続解放指示情報がＬＩＰＡ接続を解放しないことを指示する場合は、前記無線側ネットワーク要素が前記ＵＥのＬＩＰＡ接続を解放しないと確定すること、
または、前記無線側ネットワークが、受信されたＬＩＰＡ接続解放補助情報がＵＥが前回接続状態にある場合のサービスセルの識別子情報であると確定し、前記ＵＥが前回接続状態にある場合のサービスセルの識別子情報に基づいて、前記ＵＥが現在アクセスしたセルと前記ＵＥが前回接続状態にある場合のサービスセルが同じセルであるかどうかを確定し、そうであれば、前記ＵＥのＬＩＰＡ接続を解放する必要がないと確定し、そうでなければ、前記ＵＥのＬＩＰＡ接続を解放する必要があると確定すること、
または、前記無線側ネットワーク要素が、受信された前記ＵＥが前回接続状態にある場合のサービスセルの識別子情報に基づいて、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定すること、
または、前記無線側ネットワーク要素が、設定された時間内にＬＩＰＡ接続解放補助情報を受信しない場合、前記ＵＥのＬＩＰＡ接続を解放する必要があると確定することを含むことを特徴とする
請求項７に記載の方法。
【請求項９】
前記無線側ネットワーク要素が受信されたＬＩＰＡ接続解放補助情報に基づいてＬＩＰＡ接続解放検査を実行した後に、前記方法は、
前記無線側ネットワーク要素が、前記ＵＥのＬＩＰＡ接続を解放する必要があると確定した場合、前記ＵＥのＬＩＰＡ接続を解放するように接続されたローカルゲートウェイに指示することをさらに含むことを特徴とする
請求項６〜８のいずれか１項に記載の方法。
【請求項１０】
ローカルＩＰアクセス接続を解放する装置であって、
ローカルＩＰアクセス（ＬＩＰＡ）接続解放補助情報を受信するように構成される受信ユニットと、
前記ローカルＩＰアクセス（ＬＩＰＡ）接続解放補助情報に基づいてＬＩＰＡ接続解放検査を実行するように実行ユニットと、
ユーザ装置（ＵＥ）のＬＩＰＡ接続を解放するかどうかを確定するように構成される確定ユニットとを含む、装置。
【請求項１１】
前記ＬＩＰＡ接続解放補助情報は、
ＬＩＰＡ接続解放指示情報と、
前記ＵＥが前回接続状態にある場合のサービスセルの識別子情報との少なくとも一つを含むことを特徴とする
請求項１０に記載の装置。
【請求項１２】
前記受信ユニットは、さらに、無線側ネットワーク要素から送信された前記ＵＥが前回接続状態にある場合のサービスセルの識別子情報を受信するように構成され、ここで、前記無線側ネットワーク要素が前記ＵＥから前記ＵＥが前回接続状態にある場合のサービスセルの識別子情報を受信し、そして前記受信ユニットに送信し、
または、前記受信ユニットは、さらに、無線側ネットワーク要素から送信されたＬＩＰＡ接続解放指示情報を受信するように構成され、ここで、前記無線側ネットワーク要素が前記ＵＥから送信された、前記ＵＥが前回接続状態にある場合のサービスセルの識別子情報を受信した場合、前記ＵＥが前回接続状態にある場合のサービスセルの識別子情報に基づいて、前記ＵＥのＬＩＰＡ接続を解放する必要があるかどうかを判定し、そして判定結果をＬＩＰＡ接続解放指示情報により前記受信ユニットに送信し、
または、前記受信ユニットは、さらに、前記ＵＥから送信されたＬＩＰＡ接続解放指示情報を受信するように構成され、ここで、前記ＵＥが自身のＬＩＰＡ接続を解放する必要があるかどうかを判定し、そして判定結果をＬＩＰＡ接続解放指示情報により前記受信ユニットに送信し、
または、
前記確定ユニットは、さらに、前記受信ユニットにより受信されたＬＩＰＡ接続解放指示情報が、前記ＵＥが前回接続状態にある場合のサービスセルの識別子情報であると確定した場合、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定するように構成され、
または、前記確定ユニットは、さらに、前記受信ユニットにより受信されたＬＩＰＡ接続解放指示情報が、ＵＥが前回接続状態にある場合のサービスセルの識別子情報であると確定した場合、前記ＵＥが現在アクセスしたセルとＵＥが前回接続状態にある場合のサービスセルが同じ基地局に属するかどうかを判定し、そうであれば、前記ＵＥのＬＩＰＡ接続を解放する必要がないと確定し、そうでなければ、前記ＵＥのＬＩＰＡ接続を解放する必要があると確定するように構成され、
前記確定ユニットは、さらに、前記受信ユニットにより受信されたＬＩＰＡ接続解放指示情報が前記ＵＥのＬＩＰＡ接続を解放することを指示する場合、前記ＵＥのＬＩＰＡ接続を解放する必要があると確定し、前記ＬＩＰＡ接続解放指示情報が前記ＵＥのＬＩＰＡ接続を解放しないことを指示する場合、前記ＵＥのＬＩＰＡ接続を解放する必要がないと確定するように構成され、
または、前記確定ユニットは、さらに、前記受信ユニットが設定された時間内にＬＩＰＡ接続解放補助情報を受信しないと確定した場合、前記ＵＥのＬＩＰＡ接続を解放する必要があると確定するように構成されることを特徴とする
請求項１１に記載の装置。
【請求項１３】
前記受信ユニットは、さらに、移動管理ユニットから送信されたＵＥが前回接続状態にある場合のサービスセルの識別子情報を受信するように構成され、ここで、前記ＵＥが、前記ＵＥが前回接続状態にある場合のサービスセルの識別子情報をＮＡＳ情報により移動管理ユニットに送信し、前記移動管理ユニットがベアラ確立実行プロセスにおいて前記ＵＥが前回接続状態にある場合のサービスセルの識別子情報を前記受信ユニットに送信し、
または、前記受信ユニットは、さらに、前記ＵＥから送信されたＬＩＰＡ接続解放指示情報を受信するように構成され、ここで、前記ＵＥが自身のＬＩＰＡ接続を解放する必要があるかどうかを確定し、そして判定結果をＬＩＰＡ接続解放指示情報により移動管理ユニットに指示し、前記移動管理ユニットがベアラ確立実行プロセスにおいて前記判定結果をさらにＬＩＰＡ接続解放指示情報により前記受信ユニットに送信することを特徴とする
請求項１１に記載の装置。
【請求項１４】
前記確定ユニットは、さらに、前記受信ユニットにより受信された前記ＬＩＰＡ接続解放補助情報がＬＩＰＡ接続解放指示情報であると確定し、前記ＬＩＰＡ接続解放指示情報がＬＩＰＡ接続を解放することを指示する場合は、前記ＵＥのＬＩＰＡ接続を解放すると確定し、前記ＬＩＰＡ接続解放指示情報がＬＩＰＡ接続を解放しないことを指示する場合は、前記ＵＥのＬＩＰＡ接続を解放しないと確定するように構成され、
前記確定ユニットは、さらに、前記受信ユニットにより受信された前記ＬＩＰＡ接続解放補助情報が、前記ＵＥが前回接続状態にある場合のサービスセルの識別子情報であると確定した場合、前記ＵＥが現在アクセスしたセルと前記ＵＥが前回接続状態にある場合のサービスセルが同じセルであるかどうかを判定し、そうであれば、前記ＵＥのＬＩＰＡ接続を解放する必要がないと確定し、そうでなければ、前記ＵＥのＬＩＰＡ接続を解放する必要があると確定するように構成され、
または、前記確定ユニットは、さらに、前記受信ユニットにより受信された前記ＬＩＰＡ接続解放補助情報が、前記ＵＥが前回接続状態にある場合のサービスセルの識別子情報であると確定した場合、前記ＵＥが現在アクセスしたセルとＵＥが前回接続状態にある場合のセルが同じ基地局に属するかどかを判定し、そうであれば、前記ＵＥのＬＩＰＡ接続を解放する必要がないと確定し、そうでなければ、前記ＵＥのＬＩＰＡ接続を解放する必要があると確定するように構成され、
または、前記確定ユニットは、さらに、前記受信ユニットが設定された時間内にＬＩＰＡ接続解放補助情報を受信しないと確定した場合、前記ＵＥのＬＩＰＡ接続を解放する必要があると確定するように構成されることを特徴とする
請求項１３に記載の装置。
【請求項１５】
前記確定ユニットが前記ＵＥのＬＩＰＡ接続を解放する必要があると確定した場合、前記ＵＥのＬＩＰＡ接続を解放するように接続されたローカルゲートウェイに指示するように構成される解放ユニットをさらに含むことを特徴とする
請求項１０、１１、１３または１４に記載の装置。
【請求項１６】
請求項１０〜１２のいずれか１項に記載のローカルＩＰアクセス接続を解放する装置を含む移動管理ユニット。
【請求項１７】
請求項１０、１１、１３、１４または１５に記載のローカルＩＰアクセス接続を解放する装置を含む無線側ネットワーク要素。
【国際調査報告】
2016504809.tif 000018
2016504809.tif 000019
2016504809.tif 000020
2016504809.tif 000021
2016504809.tif 000022
2016504809.tif 000023